(57)【要約】中途計画または無計画の無線アクセス・ネットワークにおける基地局（ＢＳ）捕捉を行うことがここに述べられる。例として、プリアンブルが信号の異なるサイクルにわたって異なる資源に組み込まれるように、信号プリアンブルは動的に無線信号資源に割付けられる。動的割付は、衝突フィードバックに基づいて、擬似無作為であり、或いは支配的な干渉から衝突を緩和するために適切なアルゴリズムによって決定される。その上、動的組み込みは、異種形式のＢＳからの衝突を著しく低減させるために、ＢＳの形式に独特なものとなり得る。少なくとも一つの形態において、プリアンブル資源は多数の周波数副搬送波タイルに細分化される。制御チャネル情報はそのようなタイル・グループの各タイルに伝送され、さらにタイル・グループの部分集合への支配的干渉体の影響を緩和する。
2011504048.tif 000002
【特許請求の範囲】
【請求項１】
無線信号の信号資源の集合を確立すること、及び
無線信号の前記集合上で捕捉パイロットを組み込む際に、部分資源再使用を採用すること、
を含む無線アクセス・ネットワーク（ＡＮ）において基地局（ＢＳ）検出を可能にする方法。
【請求項２】
無線信号を伝送するＢＳとして異種のアクセス形式のＢＳと、
伝送するＢＳとして異種の伝送電力クラスのＢＳもしくは、
伝送するＢＳとして異なる再使用形式のＢＳの少なくとも一つについて無線信号の少なくとも一つの資源を予約すること、
をさらに含む請求項１記載の方法。
【請求項３】
部分資源再使用を採用することは、さらに信号資源の集合の部分時間、周波数またはタイル再使用を含み、タイルは無線信号のＯＦＤＭシンボル、時間フレーム、周波数副搬送波またはコード準拠資源の部分集合にわたる直交周波数分割多重化（ＯＦＤＭ）副搬送波の部分集合である請求項１記載の方法。
【請求項４】
部分資源再使用を採用することはさらに計画再使用、無作為再使用、疑似無作為再使用、時間変動再使用、または学習再使用、またはそれらの組合せを含む請求項１記載の方法。
【請求項５】
捕捉パイロットを伝送しているＢＳが中間または低電力ＢＳであるならば、無線信号の時間サイクルの二以上の資源において捕捉パイロットを伝送することを含む請求項１記載の方法。
【請求項６】
無線信号の少なくとも一つの資源のために、時間−周波数タイルの集合を確立することであって、ここで集合の各タイルはＯＦＤＭシンボルの部分集合、時間フレーム、周波数副搬送波または無線信号のコード準拠資源にわたる１以上の周波数副搬送波を含み、及び
無線信号の制御チャネル情報を副搬送波の部分集合に組み込む際に部分タイル再使用を採用すること、
を含む請求項１記載の方法。
【請求項７】
制御チャネル情報を無線信号の共通インターレースのグループ化時間部分スロットの中に組み込むことをさらに含む請求項１記載の方法。
【請求項８】
無線信号を伝送するＢＳが完全な再使用ＢＳであるならば、無線信号の少なくとも一つの資源における捕捉パイロットの伝送を制限することをさらに含む請求項１記載の方法。
【請求項９】
無線信号を伝送する無線送受信器、及び
無線信号の信号資源の集合を確立し、且つ信号資源の集合を介して捕捉パイロットを送る際に部分資源再使用を採用する信号パーザー、
を含む無線ＡＮにおけるＢＳ検出を容易にする無線ＢＳ。
【請求項１０】
信号パーザーは、
無線信号を伝送するＢＳとして異種のアクセス形式のＢＳと、
伝送するＢＳとして異種の伝送電力クラスのＢＳもしくは、
伝送するＢＳとして異なる再使用形式のＢＳ、
の少なくとも一つについて、無線信号の少なくとも一つの資源を予約する請求項９記載の無線ＢＳ。
【請求項１１】
信号パーザーは無線信号を、時間資源の集合、周波数資源の集合、またはＯＦＤＭシンボル資源の集合、またはそのような資源の組合せに分割し、そして捕捉パイロットを伝送する際に部分資源再使用を採用する請求項９記載の無線ＢＳ。
【請求項１２】
信号パーザーは資源再使用として、計画再使用、無作為再使用、疑似無作為再使用、時間変動再使用、または学習再使用、またはそれらの組合せを採用する請求項９記載の無線ＢＳ。
【請求項１３】
無線信号を生成するＢＳが中間または低電力ＢＳであるならば、信号パーザーは捕捉パイロットを無線信号の時間サイクルの二以上の資源において伝送する請求項９記載の無線ＢＳ。
【請求項１４】
無線信号の少なくとも一つの資源について周波数タイルの集合を確立するタイル化モジュールであって、ここで集合の各タイルは無線信号の一以上のＯＦＤＭシンボルにわたって一以上の周波数副搬送波を含み、及び
無線信号の制御チャネル情報を副搬送波の部分集合に組み込む際に部分タイル再使用を採用する制御組み込みモジュール、
を含む請求項９記載の無線ＢＳ。
【請求項１５】
制御情報の無線信号の共通インターレースの時間部分スロットをグループ化するタイミング分割モジュールをさらに含む請求項９記載の無線ＢＳ。
【請求項１６】
無線信号を伝送するＢＳが完全な再使用ＢＳであるならば、信号パーザーは無線信号の少なくとも一つの資源における捕捉パイロットの伝送を制限する請求項９記載の無線ＢＳ。
【請求項１７】
無線信号の信号資源の集合を確立するための手段、及び
無線信号の集合上で捕捉パイロットを組み込む際に部分資源再使用を採用するための手段、
を具備する無線ＡＮにおけるＢＳ検出を可能にするための装置。
【請求項１８】
無線信号の信号資源の集合を確立する第一モジュール、及び
無線信号の信号資源の集合上で捕捉パイロットを組み込む際に部分資源再使用を採用する第二モジュール、
を含む、無線ＡＮにおけるＢＳ検出を可能にするために構成されたプロセッサー。
【請求項１９】
無線信号の信号資源の集合を確立するために、そして
無線信号の集合上で捕捉パイロットを組み込む際に部分資源再使用を採用するために、
少なくとも一つのコンピューターによって実行可能なコンピューター可読命令を含むコンピューター可読メディア。
【請求項２０】
無線信号の信号資源の集合を確立すること、及び
無線信号の集合上で捕捉パイロットを組み込む際に部分資源再使用を採用すること、
を含む無線ＡＮにおけるＢＳ検出を可能にする方法。
【請求項２１】
無線信号を伝送するＢＳとして異種のアクセス形式のＢＳと、
伝送するＢＳとして異種の伝送電力クラスのＢＳもしくは、
伝送するＢＳとして異なる再使用形式のＢＳ、の少なくとも一つについて、無線信号の少なくとも一つを予約することをさらに含む請求項２０記載の方法。
【請求項２２】
制御チャネル情報を含む信号資源に実質的に隣接する予約資源を組み込むことをさらに含む請求項２１記載の方法。
【請求項２３】
無作為、擬似無作為または学習再使用は部分時間再使用、部分周波数再使用、またはその組合せを制御チャネル組み込みのために採用し、タイルは無線信号のＯＦＤＭシンボルの部分集合にわたって副搬送波の部分集合を含む請求項２０記載の方法。
【請求項２４】
無作為、擬似無作為または学習再使用を容易にするために、集合の少なくとも一つの資源を細分化することをさらに含む請求項２０記載の方法。
【請求項２５】
無線信号を伝送するＢＳが中間または低電力ＢＳであるならば、資源の複数の集合における制御チャネル情報を組み込むことをさらに含む請求項２０記載の方法。
【請求項２６】
捕捉パイロットを無線信号に組み込む際に部分時間または周波数再使用を採用することをさらに含む請求項２０記載の方法。
【請求項２７】
無線信号の少なくとも一つの資源について周波数タイルの集合を確立すること（集合の各タイルは複数の副搬送波を含む）、及び
無線信号の制御チャネル情報を副搬送波の部分集合に組み込む際に再使用を採用すること、
をさらに含む請求項２０記載の方法。
【請求項２８】
部分集合を形成するためタイルを集合から選択するために無作為、擬似無作為または時間変動機能を採用することをさらに含む請求項２７記載の方法。
【請求項２９】
制御チャネル情報について無線信号の共通インターレースの複数の時間資源をグループ化することをさらに含む請求項２０記載の方法。
【請求項３０】
グループ化された複数の時間資源の前に集合の時間資源における逆方向回線（ＲＬ）割当情報を組み込むこと、及び
グループ化された複数の時間資源の後にＲＬ承認（ＡＣＫ）情報を組み込むこと、
をさらに含む請求項２０記載の方法。
【請求項３１】
無線信号を伝送する無線送受信器、及び
無線信号について信号資源の集合を確立し、そして制御チャネル情報を無線信号に組み込む際に無作為、擬似無作為または学習再使用を採用する信号パーザー、
を含む無線ＡＮにおけるＢＳ検出を可能にする無線ＢＳ。
【請求項３２】
信号パーザーは、
無線信号を伝送するＢＳとして異種のアクセス形式のＢＳと、
伝送するＢＳとして異種の伝送電力クラスのＢＳもしくは、
伝送するＢＳとして異なる再使用形式のＢＳ、の少なくとも一つについて無線信号の少なくとも一つを予約する請求項３１記載の無線ＢＳ。
【請求項３３】
信号パーザーは制御チャネル情報を含む信号資源に実質的に隣接する予約資源を組み込む請求項３１記載の無線ＢＳ。
【請求項３４】
無線信号の二以上の時間スロットを提供するタイミング分割モジュールをさらに含み、信号パーザーは複数の時間スロットにおける制御チャネル情報を組み込む請求項３１記載の無線ＢＳ。
【請求項３５】
他の資源は少なくとも二つの無線信号の時間スロットを含む請求項３１記載の無線ＢＳ。
【請求項３６】
信号パーザーは無線信号を時間の集合または周波数資源の集合に分割し、そして制御チャネル情報を組み込む際に時間または周波数再使用を採用する請求項３１記載の無線ＢＳ。
【請求項３７】
信号パーザーは制御チャネル情報を、
信号資源の集合の部分集合の指定された部分帯域と、
部分集合の無作為または擬似無作為部分帯域と、
部分集合の選択された資源（この選択された資源は、衝突フィードバックの少なくとも一部から決定された、隣接するＢＳからの低減された制御チャネル衝突を提供する）
へ組み込む請求項３１記載の無線ＢＳ。
【請求項３８】
同期化信号を無線信号に組み込む際に時間または周波数再使用を採用する同期化モジュールをさらに含む請求項３１記載の無線ＢＳ。
【請求項３９】
無線信号の少なくとも一つの資源について周波数タイルの集合を確立するタイル化モジュール（集合の各タイルは複数の副搬送波を含む）、及び
無線信号の制御チャネル情報を副搬送波の部分集合に組み込む際にタイル再使用を採用する制御組み込みモジュール、
をさらに含む請求項３１記載の無線ＢＳ。
【請求項４０】
制御チャネル情報について無線信号の共通インターレースにおいて集合の二つの資源をグループ化するタイミング分割モジュールをさらに含む請求項３１記載の無線ＢＳ。
【請求項４１】
信号パーザーは、
グループ化された複数の時間資源の前に、集合の時間資源におけるＲＬ割当情報を組み込み、そして
グループ化された複数の時間資源の後に集合の時間資源におけるＲＬ ＡＣＫ情報を組み込む請求項３１記載の無線ＢＳ。
【請求項４２】
無線信号について信号資源の集合を確立するための手段、及び
制御チャネル情報を無線信号に組み込む際に無作為、擬似無作為または学習再使用を採用するための手段、
を具備する無線ＡＮにおけるＢＳ検出を可能にするための装置。
【請求項４３】
無線信号について信号資源の集合を確立する第一モジュール、及び
制御チャネル情報を無線信号に組み込む際に無作為、擬似無作為または学習再使用を採用する第二モジュール、
を含む無線ＡＮにおけるＢＳ検出を可能にするために構成されたプロセッサー。
【請求項４４】
無線信号について信号資源の集合を確立するために、及び
制御チャネル情報を無線信号に組み込む際に無作為、擬似無作為または学習再使用を採用するために、
少なくとも一つのコンピューターによって実行可能なコンピューター可読命令を含むコンピューター可読メディア。
【請求項４５】
少なくとも第一及び第二の時間サイクルを含む無線信号を取得すること、及び
第一時間サイクルの一つの資源から、そして第二時間サイクルの異なる資源から捕捉パイロットを取得すること、或いは
無線信号から制御チャネル情報を取得するために無作為、擬似無作為または学習再使用を採用すること、の少なくとも一つを含む無線ＢＳを検出する方法。
【請求項４６】
異なる資源とは区別できる第二時間サイクルの資源から第二捕捉パイロットを取得することをさらに含み、その捕捉パイロットは第一時間サイクルにおける第二捕捉パイロットの重大な干渉体である請求項４５記載の方法。
【請求項４７】
第二捕捉パイロットから確認された基地局に接続することをさらに含む請求項４６記載の方法。
【請求項４８】
確認された基地局に接続することは、
確認された基地局へアクセスを開始することと、
ＵＥ開始のハンドオフを確認された基地局に実施すること、或いは
そのような基地局のＩＤをサービス基地局へ通報することによって、確認された基地局へのネットワーク開始のハンドオフを容易にすること、の少なくとも一つをさらに含む請求項４７記載の方法。
【請求項４９】
捕捉パイロットから確認された基地局と共に干渉回避を開始することをさらに含む請求項４６記載の方法。
【請求項５０】
干渉回避を開始することは、
確認された基地局に第二捕捉パイロットの信号特性を提供することと、
そのような基地局をサービス基地局と接続する帰路回線上で少なくとも一部確認された基地局へ干渉回避メッセージを送ることと、
確認された基地局へ干渉回避メッセージＯＴＡを送ること、或いは
確認された基地局をサービス基地局へ通報すること、の少なくとも一つを含む請求項４９記載の方法。
【請求項５１】
資源または異なる資源として第一または第二の時間サイクルの時間分割、周波数分割または符号分割、またはその組合せを採用することをそれぞれさらに含む請求項４５記載の方法。
【請求項５２】
中間から低電力送信器と、
高電力送信器と、
一般アクセス（ＧＡ）送信器、或いは
制限アクセス（ＲＡ）送信器、
において起源する第一または第二の時間サイクルの少なくとも一つの追加の時間フレームから捕捉パイロットを取得することをさらに含む請求項４５記載の方法。
【請求項５３】
捕捉パイロットは少なくとも一つの追加の時間フレームの周波数部分帯域を走査することをさらに含む請求項５２記載の方法。
【請求項５４】
捕捉パイロットを取得することは、
少なくとも一つの追加の時間フレームの特定の周波数部分帯域と捕捉パイロットを確認し、且つ関連させること、及び
捕捉パイロットについて無線信号の次の時間サイクルの特定の周波数部分帯域を走査すること、
をさらに含む請求項５３記載の方法。
【請求項５５】
捕捉パイロットまたは制御チャネル情報を含む周波数部分帯域上の信号干渉を検出すること、及び
プリアンブル衝突が周波数部分帯域上で発生したことを示すＲＬ伝送を送ること、
をさらに含む請求項５３記載の方法。
【請求項５６】
周波数部分帯域上の一以上の衝突しているＢＳのＩＤを確認すること、及び
確認されたＢＳ ＩＤをＲＬ伝送に含めること、
をさらに含む請求項５３記載の方法。
【請求項５７】
捕捉パイロットを取得することはさらに少なくとも一つの追加の時間フレームの全ての周波数部分帯域を走査することを含む請求項５６記載の方法。
【請求項５８】
無線信号の少なくとも一つの資源を多数の周波数副搬送波タイルに構文解析することをさらに含む請求項４５記載の方法。
【請求項５９】
無作為または擬似無作為機能を採用することはさらに制御チャネル情報を搬送する二以上の周波数タイルを適合させることを含む請求項５８記載の方法。
【請求項６０】
制御チャネル情報を適合周波数タイルから取出すことをさらに含む請求項５８記載の方法。
【請求項６１】
少なくとも第一及び第二の時間サイクルを含む無線信号を取得する無線アンテナと、
第一時間サイクルの一つの資源から、及び第二時間サイクルの異なる資源から捕捉パイロットを取得する、或いは制御チャネル情報を無線信号から取得するために無作為、擬似無作為または学習再使用機能を採用する、の少なくとも一つを行う受信プロセッサー、及び
受信プロセッサーに接続されたメモリー、
を具備する無線ＢＳの検出のために構成された装置。
【請求項６２】
受信プロセッサーは、
中間から低電力送信器、
高電力送信器、
ＧＡ送信器、或いは
ＲＡ送信器、
において起源する第一または第二の時間サイクルの少なくとも一つの追加の時間フレームから捕捉パイロットを取得する請求項６１記載の装置。
【請求項６３】
受信プロセッサーは捕捉パイロットを取得する際に少なくとも一つの追加の資源の全ての周波数部分帯域を走査する請求項６２記載の装置。
【請求項６４】
受信プロセッサーは捕捉パイロットを取得する際に少なくとも一つの追加の資源のネットワーク指定の周波数部分帯域を走査する請求項６２記載の装置。
【請求項６５】
無線信号の周波数部分帯域から捕捉パイロットまたは制御チャネル情報を創出するＢＳのＩＤ情報を取出すＩＤモジュール、及び
創出するＢＳを周波数部分帯域と関連させるＢＳ再使用モジュール、
をさらに具備し、受信プロセッサーは無線信号の次の時間サイクルの周波数部分帯域から次の捕捉パイロットを取得する請求項６１記載の装置。
【請求項６６】
捕捉パイロットまたは制御チャネル情報を含む無線信号の周波数部分帯域上の信号干渉を検出する干渉モジュール、及び
プリアンブル衝突が周波数部分帯域上で発生したことを示すＲＬ伝送を開始する衝突通報モジュール、
をさらに具備する請求項６１記載の装置。
【請求項６７】
周波数部分帯域上で一以上の衝突しているＢＳのＩＤを確認し、且つＲＬ伝送に含めるために衝突通報モジュールにＩＤを提供するＩＤモジュールをさらに具備する請求項６６記載の装置。
【請求項６８】
無線信号の少なくとも一つの資源を多数の周波数副搬送波タイルに構文解析するタイル化モジュールをさらに具備する請求項６６記載の装置。
【請求項６９】
タイル化モジュールは制御チャネル情報を搬送する二以上の周波数タイルを適合させる請求項６８記載の装置。
【請求項７０】
受信プロセッサーは適合周波数タイルから制御チャネル情報を取出す請求項６９記載の装置。
【請求項７１】
無線アンテナは異なる資源とは区別できる第二時間サイクルの資源から第二捕捉パイロットを取得し、その捕捉パイロットは第一時間サイクルにおける第二捕捉パイロットの重大な干渉体である請求項６１記載の装置。
【請求項７２】
受信プロセッサーは第二捕捉パイロットから確認された基地局に接続する請求項７１記載の装置。
【請求項７３】
受信プロセッサーは確認された基地局に、
最初のアクセスを確認された基地局に実施することと、
確認された基地局にＵＥ開始のハンドオフを実施すること、或いは
そのような基地局のＩＤをサービス基地局に通報することによって確認された基地局へのネットワーク開始のハンドオフを容易にすること、の少なくとも一つによって接続する請求項７２記載の装置。
【請求項７４】
受信プロセッサーは第二捕捉パイロットから確認された基地局と共に干渉回避を開始する請求項７１記載の装置。
【請求項７５】
受信プロセッサーは、
確認された基地局に第二捕捉パイロットの信号特性を提供すること、
そのような基地局をサービス基地局と接続する帰路ネットワーク上で少なくとも一部確認された基地局に干渉回避メッセージを送ること、
確認された基地局に干渉回避メッセージＯＴＡを送ること、或いは
確認された基地局を通報するサービス基地局にメッセージを送ること、の少なくとも一つのためにアンテナを採用することによって干渉回避を開始する請求項７４記載の装置。
【請求項７６】
一つの資源または異なる資源は第一時間サイクルまたは第二時間サイクルの時間、周波数または符号分割、またはその組合せを含む請求項７１記載の装置。
【請求項７７】
少なくとも第一及び第二の時間サイクルを含む無線信号を取得するための手段、及び
第一時間サイクルの一つの時間フレームから、及び第二時間サイクルの異なる時間フレームから捕捉パイロットを取得するための手段、または
無線信号から制御チャネル情報を取得するために無作為、擬似無作為または学習再使用機能を採用するための手段、の少なくとも一つを具備する無線ＢＳを検出するための装置。
【請求項７８】
少なくとも第一及び第二の時間サイクルを含む無線信号を取得する第一モジュール、及び
第一時間サイクルの一つの時間フレームから、及び第二時間サイクルの異なる時間フレームから捕捉パイロットを取得する、または無線信号から制御チャネル情報を取得するために無作為、擬似無作為または学習再使用機能を採用する、の少なくとも一つを行う第二モジュール、
を具備する無線ＢＳを検出するために構成された装置。
【請求項７９】
少なくとも第一及び第二の時間サイクルを含む無線信号を取得するために、
第一時間サイクルの一つの時間フレームから、及び第二時間サイクルの異なる時間フレームから捕捉パイロットを取得する、または
無線信号から制御チャネル情報を取得するために無作為、擬似無作為または学習再使用機能を採用する、の少なくとも一つを行うために、
少なくとも一つのコンピューターによって実行可能なコンピューター可読命令を含むコンピューター可読メディア。
【発明の詳細な説明】
【優先権の主張】
【０００１】
３５Ｕ．Ｓ．Ｃ§１１９における優先権主張
本特許出願は２００７年１１月１６日出願され、「フェムト・プリアンブル設計（FEMTO PREAMBLE DESIGN）」と題し、これに関して譲請人に譲渡され、且つこの中に引例により明確に含まれる米国仮出願番号第６０／９８８，７２０号に対する優先権を要求する。
【関連出願に対する相互参照】
【０００２】
参照同時係属特許出願
本特許出願は次の同時係属の米国特許出願に関係する。
【０００３】
代理人整理番号第０８０８２３号を持ち、これと共に同時に出願され、これに関して譲請人に譲渡され、且つこの中に引例により明確に含まれる、アーモド・カンデカー（Aamod Khandekar）氏他による「セクター間性能に基づくセクター干渉管理（SECTOR INTERFERENCE MANAGEMENT BASED ON INTERSECTOR PERFORMANCE）」；
代理人整理番号第０８０２７８Ｕ１号を持ち、これと共に同時に出願され、アーモド・カンデカー氏他による「無線信号のプリアンブル設計（PREAMBLE DESIGN FOR A WIRELESS SIGNAL）」；及び
代理人整理番号第０８０２７８Ｕ２号を持ち、これと共に同時に出願され、これに関して譲請人に譲渡され、且つこの中に引例により明確に含まれる、アーモド・カンデカー氏他による「無線信号のプリアンブル設計」；及び
代理人整理番号第０８０２７８Ｕ３号を持ち、これと共に同時に出願され、これに関して譲請人に譲渡され、且つこの中に引例により明確に含まれる、アーモド・カンデカー氏他による「無線信号のプリアンブル設計」；及び
代理人整理番号第０８０６９４号を持ち、これと共に同時に出願され、これに関して譲請人に譲渡され、且つこの中に引例により明確に含まれる、アーモド・カンデカー氏他による「干渉回避のための逆送信号通信（BACKHAUL SIGNALING FOR INTERFERENCE AVOIDANCE）」。
【技術分野】
【０００４】
下記は一般に無線通信に関係し、そして特に中途計画または無計画の無線アクセス・ネットワークの干渉低減を促進する無線信号のプリアンブル設計に関係する。
【背景技術】
【０００５】
無線通信システムは、例えば、音声内容、データ内容等といった様々な形式の通信内容を提供するために広く配置される。典型的な無線通信システムは利用可能なシステム資源（例えば、帯域幅、伝送電力）を共有することによって多数のユーザーとの通信を支援することが可能な多元アクセス・システムである。そのような多元アクセス・システムの例は符号分割多元アクセス（ＣＤＭＡ）システム、時分割多元アクセス（ＴＤＭＡ）システム、周波数分割多元アクセス（ＦＤＭＡ）システム、直交周波数分割多元アクセス（ＯＦＤＭＡ）システム等を含む。
【０００６】
一般的に、無線多元アクセス通信システムは多数のモバイル・デバイスの通信を同時に支援する。各モバイル・デバイスは一以上の基地局と順方向及び逆方向回線上の伝送を介して通信する。順方向回線（または下り回線）は基地局からモバイル・デバイスへの通信回線を云い、そして逆方向回線（または上り回線）はモバイル・デバイスから基地局への通信回線を云う。さらに、モバイル・デバイスと基地局との間の通信は単一入力単一出力（ＳＩＳＯ）システム、多元入力単一出力（ＭＩＳＯ）システム、多元入力多元出力（ＭＩＭＯ）システム等を介して確立される。
【０００７】
無線メッセージは一般的に情報を搬送するために符号（コード）に基づいて時間、周波数等に細分化される。例えば、超モバイル広帯域（ultra mobile broadband：ＵＭＢ）システムでは、順方向回線メッセージは一つのスーパーフレーム・プリアンブルといくつかの時間フレームに分割された少なくとも一つの（例えば、２５ミリ秒長の）時間スーパーフレームを含む。プリアンブルは捕捉（acquisition）及び制御（control）情報を運び、一方、様々な他の時間フレームは、例えば音声呼出に関係する音声情報、データ呼出またはデータセッションに関係するデータ・パケット等といったトラヒックを運ぶ。捕捉情報はセクター内の伝送基地局を確認するために或るモバイル・ネットワーク・セクター内のモバイル端末によって利用される。制御チャネル情報は受信信号を復号するための命令及び他の指示を提供する。
【０００８】
ＵＭＢでは、スーパーフレーム・プリアンブルは８個の直交周波数分割多重（ＯＦＤＭ）シンボルを含む。第一シンボルは一般的に順方向一次ブロードキャスト制御チャネル（Ｆ−ＰＢＣＣＨ）を運び、そして次の四つのシンボルは順方向二次ブロードキャスト制御チャネル（Ｆ−ＳＢＣＣＨ）及び順方向迅速ページング・チャネル（Ｆ−ＱＰＣＨ）を運ぶ。Ｆ−ＰＢＣＣＨ及びＦ−ＳＢＣＣＨは一般的にＵＭＢシステムに入る端末によって必要とされる初期構成情報（initial configuration information）を提供する。例えば、Ｆ−ＰＢＣＣＨチャネルはセクターにわたって共通する配置−全体構成情報を運び、一方、Ｆ−ＳＢＣＣＨはセクター−特定構成情報を運ぶ。Ｆ−ＱＰＣＨはページが受取られるならば遊休モード端末にページを読取り、且つ接続を開くように指示するために使用される迅速ページ（quick page）を運ぶ。
【０００９】
ＵＭＢプリアンブルの最後の３個のＯＦＤＭシンボルは捕捉パイロット情報を運ぶ。これらの３個のシンボルの最初のものは一般的にＵＭＢシステムの存在を判定し、且つ初期タイミング及び周波数を捕捉するために使用されるセクター非依存の信号を運ぶ。第二の、セクター依存の信号は伝送セクター及び／または基地局の同一性（identity）を決定するために利用される。第三の信号は、同じくセクター依存であるが、そのシステムが同期的、もしくは非同期的であるかどうか、どのような時分割二重化（time division duplex：ＴＤＤ）分割を使用すべきか、といった初期システム・パラメータ等を決定するために使用される情報を運ぶ。別の例では、例えば第三世代共同プロジェクト長期進化（３ＧＰＰ−ＬＴＥ）ネットワークに関して、捕捉パイロット情報はＵＭＢ例について上で指定されたものより異なる信号を含む。例えば、３ＧＰＰ−ＬＴＥシステムは一般的に捕捉パイロット信号として一次同期符号（ＰＳＣ）、二次同期符号（ＳＳＣ）、及びパケットブロードキャストチャネル（ＰＢＣＨ）を採用する。同期化信号は異なる形態（forms）（例えば、系列長、スクランブル系列、変調及びタイミング等）を含むことができるが、同様の情報はこれらの信号によって搬送される。このように、例えば、ＬＴＥ符号は伝送セクター／基地局の同一性、受信信号を復号するためのタイミング及び変調情報、既定システム・パラメータ等々を運ぶ。ＬＴＥ符号は当技術分野において知られているように（例えば、時間に、及び周波数に局在する）ＬＴＥプリアンブルのＯＦＤＭシンボルの一部を利用して運ばれる。
【００１０】
前記はＵＭＢ及びＬＴＥのプリアンブルを述べると同時に、様々な他のモバイル通信システムはまた信号通信、捕捉、制御もしくは同様な無線通信機能についてチャネル・プリアンブル、または同様の構造を利用する。他の機能はいくつかの無線システムについてトラヒック・チャネルの形式（フォーマット）を指定することを含む。一般的に、プリアンブルは受信器におけるアプリケーション関連情報及び制御情報の区別を容易にするために無線信号のトラヒック関連の部分とは別に設定される。このように、受信器はそれ自身トラヒック部分を監視しなくても、信号が受信デバイスに関係するトラヒックを含むかどうかを確認するために制御部分を監視する。制御部分は一般的に全体信号の小さな部分にすぎないので、受信器デバイスは関連情報が信号に含まれるかどうかを決定するために信号プリアンブルを監視することによって処理要求及び電力消費を著しく低減させる。従って無線信号通信のために制御チャネルを採用することは、モバイル・デバイスの電池寿命を延長することによる移動性の向上と同様に、さらに効率的な通信につながる。
【発明の概要】
【００１１】
下記はそのような形態の基本的理解を行うために一以上の形態の簡単な要約を提示する。この要約は熟慮される全ての形態の広い概観であるとは限らず、そして全ての形態の鍵または重要な要素を確認するのでもなく、また全ての形態の範囲の輪郭を描くことを意味するものではない。その唯一の目的は、後で提示されるさらに詳細な記述の前触れとして単純化された形状で一以上の形態のいくつかの概念を提示することである。
【００１２】
主題開示は無線アクセス・ネットワーク（ＡＮ）における中途計画または無計画のアクセス点（ＡＰ）配置についてアクセス点（ＡＰ）（例えば、基地局［ＢＳ］）検出を可能にするために行う。主題開示の特定の形態によって、異種の無線ＡＮに関するＡＰ検出が提供される。ＡＰ検出はここに述べるようにプリアンブル再使用組み込み（re・use scheduling）を採用することによって容易になる。一以上の形態では、プリアンブル再使用組み込みは無線ＡＰが長時間に異なる信号資源（例えば、時間スーパーフレーム）においてプリアンブルを組み込み、そして伝送するように動的である。他の形態によれば、無線信号の一部（segment(s)）は異種形式のＡＰのプリアンブルに割付けられる。一つの事例では、異種形式は異種アクセス形式である。このように、特定の例として、信号資源（例えば、時間スロット、周波数帯域／部分帯域、符号または符号群等々）は一般アクセス（ＧＡ）基地局（ＢＳ）のプリアンブルについて指定され、そして別の信号資源は限定アクセス（ＲＡ）基地局（ＢＳ）のプリアンブルについて指定される。従って、ＧＡ ＢＳ及びＲＡ ＢＳ間のプリアンブル干渉（例えば、衝突）は著しく低減される。
【００１３】
主題開示の他の形態によると、無線信号の一以上の部分は低または中間電力送信器によってプリアンブル伝送のために指定される；高電力送信器（例えば、マクロ・セル基地局）は無線信号のこれらの指定部分を空白（blank）にする。従って、大きな高電力ＢＳと中間から低電力ＢＳとの間の干渉は無線信号の少なくともこれらの指定部分において緩和される。主題開示は異なるサイズ及び／または伝送電力の（ＢＳ）を持つ、従来（legacy）モバイル・ネットワークに関して、そしてまた無計画または中途計画の無線ＡＮについて（プリアンブル衝突緩和に基づいて）ＡＰ検出を提供することを認識すべきである。
【００１４】
一以上の追加の形態によると、無線ＡＮにおけるＢＳ検出の方法が提供される。その方法は無線信号について信号資源の集合を確立することを含む。その方法はさらに捕捉パイロットを無線信号に組み込む際に資源再使用を採用することを含む。
【００１５】
一以上の他の形態では、無線ＡＮにおけるＢＳの検出を容易にする無線ＢＳが開示される。無線ＢＳは無線信号を伝送する無線送受信器を含む。さらに、無線ＢＳは無線信号について信号資源集合を確立し、且つ捕捉パイロットを無線信号に組み込む際に資源再使用を採用する信号パーザーを含む。
【００１６】
なお他の形態では、無線ＡＮにおいてＢＳ検出を行うために構成される装置が提供される。その装置は無線信号について信号資源の集合を確立する手段を含む。その装置はさらに捕捉パイロットを無線信号に組み込む際に資源再使用を採用する手段を含む。
【００１７】
一以上の追加の形態によると、無線ＡＮにおいてＢＳ検出を行うために構成されたプロセッサーが開示される。プロセッサーは無線信号について信号資源の集合を確立する第一モジュールを含む。プロセッサーはさらに捕捉パイロットを無線信号に組み込む際に資源再使用を採用する第二モジュールを含む。
【００１８】
少なくとも一つのさらなる形態では、無線信号について一組の信号資源を確立するために少なくとも一つのコンピューターによって実行可能なコンピューター可読命令を含むコンピューター可読メディアが提供される。その上、その命令は捕捉パイロットを無線信号に組み込む際に資源再使用を採用する少なくとも一つのコンピューターによって実行可能である。
【００１９】
上記にさらに、無線ＡＮにおいてＢＳ検出を可能にする方法が提供される。その方法は無線信号について信号資源の集合を確立することを含む。さらに、その方法は制御チャネル情報を無線信号に組み込む際に無作為、疑似無作為、または学習（learned）再使用を採用することを含む。
【００２０】
その上、主題開示は無線ＡＮにおいてＢＳ検出を可能にする無線ＢＳを提供する。無線ＢＳは無線信号を伝送する無線送受信器を含む。さらに、無線ＢＳは無線信号について信号資源の集合を確立し、且つ制御チャネル情報を無線信号に組み込む際に無作為、疑似無作為、または学習資源再使用を採用する信号パーザーを含む。
【００２１】
さらなる形態では、無線ＡＮにおいてＢＳ検出を可能にするための装置が開示される。その装置は無線信号について信号資源の集合を確立するための手段を具備する。その上、その装置は制御チャネル情報を無線信号に組み込む際に無作為、疑似無作為、または学習資源再使用を採用するための手段を具備する。
【００２２】
一以上の他の形態では、無線ＡＮにおいてＢＳ検出を可能にするために構成されたプロセッサーが提供される。そのプロセッサーは無線信号について信号資源の集合を確立する第一モジュールを含む。さらに、そのプロセッサーは制御チャネル情報を無線信号に組み込む際に無作為、疑似無作為または学習資源再使用を採用する第二モジュールを含む。
【００２３】
なお他の形態では、コンピューター可読メディアが開示される。そのコンピューター可読メディアは無線信号について信号資源の集合を確立するために少なくとも一つのコンピューターによって実行可能なコンピューター可読命令を含む。そのコンピューター可読命令は制御チャネル情報を無線信号に組み込む際に無作為、疑似無作為または学習資源再使用を採用するために少なくとも一つのコンピューターによって実行可能である。
【００２４】
上記に加えて、無線ＢＳを検出する方法が開示される。その方法は少なくとも第一及び第二の時間サイクルを含む無線信号を取得することを含む。その方法はまた下記の少なくとも一つを含む：第一時間サイクルの一つの時間フレームから、及び第二時間サイクルの異なる時間フレームから捕捉パイロットを取得すること；或いは制御チャネル情報を無線信号から取得するために無作為、疑似無作為または学習再使用機能を採用すること。
【００２５】
他の形態によると、無線ＢＳの検出のために構成された装置が提供される。その装置は少なくとも第一及び第二の時間サイクルを含む無線信号を取得する無線アンテナを具備する。さらに、その装置は次の少なくとも一つを行う受信プロセッサーを具備する：第一時間サイクルの一つの時間フレームから、及び第二時間サイクルの異なる時間フレームから捕捉パイロットを取得する；或いは制御チャネル情報を無線信号から取得するために無作為、疑似無作為または学習再使用機能を採用する。その上、その装置は受信プロセッサーに接続されたメモリーを具備する。
【００２６】
なお他の形態によると、無線ＢＳを検出するために構成された装置が提供される。その装置は少なくとも第一及び第二の時間サイクルを含む無線信号を取得するための手段を具備する。その装置はさらに次の少なくとも一つを具備する：第一時間サイクルの一つの時間フレームから、及び第二時間サイクルの異なる時間フレームから捕捉パイロットを取得するための手段；或いは制御チャネル情報を無線信号から取得するために無作為、疑似無作為または学習再使用機能を採用するための手段。
【００２７】
一以上の特定の形態によると、無線ＢＳの検出のために構成されたプロセッサーが提供される。そのプロセッサーは少なくとも第一及び第二の時間サイクルを含む無線信号を取得する第一モジュールを含む。さらに、そのプロセッサーは次の少なくとも一つを行う第二モジュールを含む：第一時間サイクルの一つの時間フレームから、及び第二時間サイクルの異なる時間フレームから捕捉パイロットを取得する；或いは制御チャネル情報を無線信号から取得するために無作為、疑似無作為または学習再使用機能を採用する。
【００２８】
少なくとも一つの他の形態では、コンピューター可読メディアが開示される。コンピューター可読メディアは少なくとも第一及び第二の時間サイクルを含む無線信号を取得するために少なくとも一つのコンピューターによって実行可能な命令を含む。さらに、それらの命令は次の少なくとも一に対して少なくとも一つのコンピューターによって実行可能である：第一時間サイクルの一つの時間フレームから、及び第二時間サイクルの異なる時間フレームから捕捉パイロットを取得する；或いは制御チャネル情報を無線信号から取得するために無作為、疑似無作為または学習再使用機能を採用する。
【００２９】
前述及び関連の目的の達成に対して、一以上の形態は以下に十分に記述され、そして特に請求項において指摘される特徴を含む。次の記述及び付加された図は一以上の形態のある例示の形態において詳細に説明される。しかしながら、これらの形態は様々な形態の原理が採用される様々な方法の二、三を示すに過ぎず、そして記述された形態が全ての形態及びそれらの同等なものを含むことを意味する
【図面の簡単な説明】
【００３０】
【図１】ここに説明される形態による無線通信を提供するシステム例のブロック図を例示する。
【図２】異種の伝送基地局（ＢＳ）を含む無線アクセス・ネットワーク（ＡＮ）例のブロック図を示す。
【図３】主題開示の形態による例無線信号のブロック図を例示する。
【図４】主題開示の形態による追加の無線信号例のブロック図を示す。
【図５】いくつかの形態によるＡＰ検出を容易にするために周波数サブタイルを含む無線信号例のブロック図を例示する。
【図６】さらなる形態による周波数部分帯域及びサブタイルを含む別の無線信号例のブロック図を例示する。
【図７】主題開示の一以上の他の形態による信号インターレース例のブロック図を示す。
【図８】異種のＢＳネットワークにおいてＢＳ検出を容易にするために構成された基地局を含むシステム例のブロック図を例示する。
【図９】無線通信においてＢＳ検出を容易にするアクセス端末（ＡＴ）を含む見本システムのブロック図を示す。
【図１０】無線ＡＮにおいてＢＳ検出のための方法例のフロー・チャートを例示する。
【図１１】ここに開示された一以上の形態によるプリアンブル組み込みのための方法例のフロー・チャートを示す。
【図１２】無線ＡＮにおいてＢＳ検出を容易にするために見本方法のフロー・チャートを例示する。
【図１３】開示された形態による無線受信器においてＢＳ検出を容易にするための方法例のフローチャートを示す。
【図１４】開示の特定の形態による無線ＡＮにおいてＢＳ検出を行うシステム例のブロック図を例示する。
【図１５】さらに開示された形態による無線通信においてＢＳ検出を容易にする見本システムのブロック図を示す。
【図１６】いくつかの形態による無線通信環境においてＢＳを検出するための見本システムのブロック図を例示する。
【発明を実施するための形態】
【００３１】
様々な形態がここに図を参照して述べられるが、同等の参照数字が全体にわたって同じ要素を参照するために使用される。次の説明では、説明の目的のために、多数の特定の項目が一以上の形態の完全な理解を行うために説明される。しかしながら、そのような形態はこれらの特定の項目なしで実践されることは明白である。他の事例では、周知の構造及びデバイスが一以上の形態を記述するのを容易にするためにブロック図の形で示される。
【００３２】
その上、開示の様々な形態は下記に記述される。この中の教示多種多様な形で具体化されること、及びここに開示されるいかなる特定の構造及び／または機能も単に代表的であることは明白である。この中の教示に基づいて、当業者はここに開示される形態が他の形態とは無関係に実施されること、及び二つ以上のこれらの形態が様々な方法で結合されることを認識すべきである。例えば、装置は実施され、そして／または方法はこの中に説明される多数の形態を利用して実践される。その上、ここに説明される一以上の形態に加えて、もしくは以外に他の構造及び／または機能を使用して装置は実施され、且つ／または方法は実践される。例として、ここに記述される方法、デバイス、システム、及び装置の多くはすぐ近くのＢＳの間でプリアンブル衝突を低減させる意味で無線信号プリアンブル情報を組み込むことの文脈の中で述べられる。当業者は同様の技術が他の通信環境に適用されるであろうことを認識すべきである。
【００３３】
無線アクセス・ネットワーク（ＡＮ）における無線基地局（ＢＳ）の計画配置は一般的に送受信器デバイスの位置、間隔及び伝送／受信特性を考慮する。計画配置の一つの目標（ゴール）は送信器の間の干渉を低減させることである。このように、例えば、二つの基地局はそれらの各送信器の最大伝送範囲に類似する距離だけ離れた間隔をとるであろう。従って、他方において一つの基地局からの干渉は最小化される。
【００３４】
無計画もしくは中途計画のＢＳ配置では、無線送信器は干渉を低減させるように管理されるそれらの伝送電力、伝送方向、または同様の特性を考慮して大抵は間隔をとらない。その代りに、相互に極めて接近していることは（例えば、実質的に３６０度に伝送する）二つ以上の同様に伝送するＢＳにとって希ではない。さらに、異種の伝送電力環境では、高電力ＢＳ（例えば、２０ワットのマクロ・セル）が中間または低電力送信器（変動伝送電力、例えば、８ワット、３ワット、１ワット等々の、例えば、マイクロ・セル、ピコ・セル、フェムト・セル等々）に隣接して位置する。高電力送信器は中間及び／または低電力送信器にとって重大な干渉源である。さらに、中間／低電力送信器への受信器の近接度によって、高電力送信器の重大な干渉が同様に生じる。従って、中途計画または無計画の環境または異種の伝送電力環境における信号干渉は従来の計画マクロ基地局ＡＮと比較すると重大な問題である。
【００３５】
前記に加えて、限定アクセス（ＲＡ）ＢＳは中途計画または無計画のＢＳ配置に起因する問題を複雑にする。例えば、ＲＡ ＢＳは他のそのようなデバイスへのネットワーク・アクセスを拒絶して選択的に一以上の端末デバイスへのアクセスを行う。従って、アクセスを拒絶されたデバイスは他のＢＳを捜すことを強制され、度々それは拒絶ＢＳからの重大な干渉を観測する。ここに利用されるように、ＲＡ ＢＳはまた私的（private）ＢＳ（例えば、フェムト・セルＢＳまたはホーム・ノードＢ［ＨＮＢ］）、またはいくつかの同様の用語で呼ばれる。
【００３６】
ＲＡ ＢＳはネットワークに複雑さを加えるが、それらは重要な実益を提供する。例えば、個人用ＲＡ ＢＳは（例えば、インタネットへ、及び／またはモバイル・オペレーターのネットワークへの）音声及び／またはデータ・アクセスのために私的ネットワーク化資源を利用して、家庭において、オフィス等において私的に取付けられる。そのような配置は個人用ＲＡ ＢＳを介して加入者のネットワーク・アクセスを通して大きな個々の制御を行う。しかしながら、ネットワーク・インタフェースはネットワーク・オペレーターよって維持される資源ではなく、加入者の私的ネットワークを利用するので、そのようなＢＳの所有者は一般アクセス・モバイル・ユーザーによって利用されるそれらの資源を望まないであろう；従って、ＲＡ ＢＳは一般的に認定ユーザーのために資源を維持して、事前指定端末デバイスへのアクセスを制限する。
【００３７】
前記に加えてさらに、無計画、異種及びＲＡ配置は無線ＡＮの粗末な幾何学条件の原因となる。限定接続（restricted association）なしでも、ピコＢＳは経路損失に関して端末にさらに接近しているので、マクロＢＳから非常に強い信号を観測するデバイスはピコＢＳに接続する方を選ぶであろう。このように、ピコＢＳは比較可能なデータ速度で端末にサービスすることができ、一方無線ＡＮに比較的少ない干渉をもたらす。しかしながら、ピコＢＳ信号（例えば、制御及び捕捉情報を含むプリアンブル）を監視する端末は端末において低信号対雑音比（ＳＮＲ）をもたらし（例えば、恐らくはＢＳによってピコＢＳを検出できなくする）、マクロＢＳからの重大な干渉を観測するであろう。
【００３８】
追加の問題はまたＲＡ ＢＳが上で論じた異種のＢＳ環境に導入されるとき生じる。そのような場合には、端末デバイスは接続することを許されないＢＳに非常に接近し、非常に高いレベルでそのようなＢＳの信号を観測する。従って、このＢＳは端末にサービスするＢＳ（例えば、その端末が接続することを許される最も近いＢＳ）に強い干渉をもたらす（そして、例えば、非常に低いＳＮＲをもたらす）であろう。いくつかの場合には、その干渉は端末のアナログ／ディジタル（Ａ／Ｄ）変換器を感度低下させるほどに強力である。感度低下（desensitization）の問題を例示するために、端末の部品は一般的に干渉レベル（それは、例えば、前述のシナリオではＲＡ ＢＳによって支配される）を加えた全体の受信信号強度に基づいて設定される。サービスするＢＳの信号レベルが隣接ＲＡ ＢＳに対し非常に低い場合には、そのような信号は量子化騒音レベル以下である。そのような場合には、干渉ＢＳがサービスＢＳより無線信号の異なる周波数資源（例えば、異なる副搬送波または副搬送波の集合）上に存在するとしても、干渉ＢＳは端末においてサービスＢＳを検出できないようにし、後者は量子化雑音によって遮蔽される。
【００３９】
ここに述べるように、主題開示のいくつかの形態は前述の問題または同様のネットワーク通信を扱い、且つ／または問題にアクセスするために提供される。主題開示の一つのそのよう形態において、動的なプリアンブル再使用がＢＳのプリアンブルを組み込むために採用される。動的プリアンブル再使用は無線信号の一つの時間サイクルまたはスーパーフレームにおいて干渉するＢＳが別のそのような時間サイクル／スーパーフレームにおいて干渉しない良好な可能性を提供する。従って、重大な干渉を観測する端末デバイスは、復号可能なプリアンブル・データが取得されるまで無線信号を監視する。ここに利用されるように、動的プリアンブル再使用は無線信号の二つ以上のスーパーフレームまたはサイクルの異なる資源において、信号プリアンブルを組み込むことを云う。このように、一つの例として、動的なプリアンブル再使用はプリアンブルを伝送するために無線信号の第一スーパーフレーム／サイクルの第一資源を採用し、そして無線信号の次のスーパーフレーム／サイクルにおいてプリアンブルを伝送するために（第一資源とは異なる）第二資源を採用する。さらに、動的なプリアンブル再使用は十分な資源再使用もしくは部分的資源再使用を含む。ここに利用されるように、部分的資源再使用は無線信号の特定の時間サイクルの時間、周波数、符号及び／またはシンボル準拠の資源の一部だけを採用することを云う。このように、例えば、部分的再使用は特定の時間サイクルの一時間サイクルと関連する３個または４個より少ない周波数副帯域の帯域上でデータを伝送することを含む。一方、完全な再使用（または、例えば非再使用）は、特定の時間サイクルの少なとも一つの時間フレームの全ての資源を採用することを云う（近隣周波数チャネルにおいて干渉を低減させるために利用されるバッファー周波数を随意に除外する）。このように、前記の例では、完全な再使用はデータを伝送するために周波数副帯域の全４個を採用する。
【００４０】
開示の一以上の他の形態では、プリアンブル再使用はＢＳによって変化する。例えば、無線信号の異なる資源は異種のアクセス形式の、異種の伝送電力の、異種の再使用形式（例えば、再使用または非再使用）の、または単に異種のＢＳ ＩＤを持つＢＳによって利用される。このように、一つの特定の例では、無線信号の第一部分はＧＡ ＢＳのプリアンブルのために予約され、そして無線信号の第二部分はＲＡ ＢＳのプリアンブルのために予約される。ＲＡ ＢＳは無線信号の第一部分における伝送から制限される。いくつかの形態によると、高電力（例えば、マクロ・セル）ＧＡ ＢＳが無線信号の第二部分において伝送から制限されても、低もしくは中間電力ＧＡ ＢＳは無線信号の第二部分において伝送することを許可される。そのような形態によると、そこで、低から中間電力ＢＳは無線信号の第一部分または第二部分のいずれかにおいてプリアンブルを伝送することができるが、高電力ＢＳ及びＲＡ ＢＳは無線信号の少なくとも一つの部分から制限され、そしてそのような部分を空白にしなければならない。
【００４１】
ＲＡ ＢＳ（または、例えば、ＲＡ及び低から中間電力ＧＡ ＢＳ）に専用の無線信号の一部を空白にすることをマクロＢＳに要求することによって、端末デバイスはマクロＢＳによるサービスを受けないとき無線信号のこの部分を無視する。さらに、ＧＡ ＢＳに専用の無線信号の一部を空白にすることをＲＡ ＢＳに要求することによって、その端末はマクロＢＳによるサービスを受けないとき無線信号のそのような部分を無視する。従って、プリアンブル干渉は無線信号の個別のそれぞれの部分においてプリアンブルを伝送すること、且つ／または別の指定部分を空白にすることをマクロ及びＲＡ ＢＳに要求することによって著しく低減される。いくつかの形態によると、信号の部分は時間−部分、周波数−部分、または時間と周波数部分である。少なくとも一つの形態では、上で論じたように、その部分は受信信号強度における高い格差及び非常に低いＳＮＲによる受信器の感度低下（desensitization）を緩和するために無線信号の個別の時間フレームまたはサブ−フレームである。
【００４２】
捕捉パイロット及び／または制御チャネル情報を組み込む際に動的再使用を採用することはモバイル端末が信号の別の時間サイクル上の別のパイロットにより著しく妨害される一つの時間サイクル上の信号を復号することを可能にする。例として、第一基地局の捕捉パイロットは受信デバイスで測定されるので、第二基地局の第二捕捉パイロットより著しく弱いであろう。第一基地局が第二基地局より受信器からはるかに離れているならば、第一基地局が第二基地局より弱い電力で伝送するならば、第一基地局からの信号が重大な環境上の散乱または干渉、または前記の組合せによる影響を受けるならば、信号強度におけるそのような格差が生じる。信号強度格差は一つの資源における信号を復号するのに失敗する結果になるが、動的再使用を採用することによって、基地局は伝送パイロットが一以上の資源上の別の基地局のパイロットと衝突しないであろう可能性（likelihood）を増加させる。従って、信号を長時間ずっと監視することによって、受信器は弱い捕捉パイロットが強いパイロットを重大な干渉として見ない資源を観測する高い確率を持つ。このように、信号の資源を長時間ずっと監視することによって、受信器は著しく弱い基地局のパイロットを復号する確率を増加させる。
【００４３】
いくつかの場合には、弱い基地局は好ましい基地局である。例えば、上で論じたように、弱い基地局は低い信号経路損失を提供する。他の場合には、弱い基地局は受信器と関連するＲＡ基地局であり、それは好ましい課金または他の利便を提供する。そのような場合には、そのような弱いＢＳからの信号を検出する受信器はハンドオフ手続きをそのようなＢＳに開始する。ハンドオフはＢＳをアクセスすること及び受信器開始のハンドオフを実施することを含み、或いはネットワーク実施のハンドオフを容易にするために弱い／好ましいＢＳをサービスＢＳに通報する。
【００４４】
他の場合には、弱いＢＳの検出はそのような弱いＢＳとの干渉回避動作につながる。一つの形態では、干渉回避は弱いＢＳパイロットの信号特性をそのようなＢＳへ、または受信器のサービスＢＳへ通報することを含む。他の形態では、干渉回避は信号強度を低減させるため、特定のＦＬ資源上の信号強度を低減させるため、特定のＦＬ資源を空白にするため等々、別のＢＳへ要求を提示する受信器またはサービスＢＳを含む。そのような要求は資源利用メッセージ（ＲＵＭ）（例えば、同時係属及び関連出願「セクター間動作性能に基づくセクター干渉管理（Sector Interference Management Based on Inter・Sector Performance）」に記載され、この中に引例によって含まれる）または干渉回避要求（例えば、同時係属及び関連出願「干渉回避のための帰路信号通信（Backhaul Signaling for Interference Avoidance）」に記載され、この中に引例によって含まれる）と呼ばれる。干渉回避メッセージは受信器から（例えば、サービスＢＳを持つＲＬチャネル及びサービスＢＳ及び弱いＢＳを接続する帰路ネットワークを利用して）弱いＢＳに直接に、またはサービスＢＳを介して間接的に送られる（例えば、弱いＢＳの捕捉パイロットの検出、またはそのようなパイロットの特性がネットワークからの干渉回避を管理するためにサービスＢＳに提示される場合）。
【００４５】
主題開示の一以上の追加の形態によると、ＢＳ及び／または無線アクセス点ネットワークは信号を伝送するＢＳの形式に少なくとも一部関して信号資源を分割する。例として、信号の一以上の部分は特定の形式のＢＳによるプリアンブル組み込みのために予約される。伝送ＢＳが特定の形式でなければ、それは予約された部分を空白にし、そのような部分におけるデータを伝送しないか、実質的に伝送しない。このように、例えば、ＲＡ、ＧＡ、低／中間電力ＢＳ、高電力ＢＳ、再使用ＢＳ、非再使用ＢＳ等々はプリアンブル伝送のために専用の無線信号の資源を持つ。さらに、プリアンブルが無線信号の第二サイクル／スーパーフレームと比較して第一サイクル／スーパーフレームにおいて異なる信号資源に組み込まれるように、専用資源は動的割付を利用して組み込まれる。さらに、予約された部分は無線信号の一以上のスーパーフレームに専用される。このように、一つの可能な例では、一つの時間フレームは無線信号のすべて二つの時間スーパーフレームごとに組み込むＲＡ及び低／中間電力プリアンブルに専用される。別の可能な例では、二つの時間フレームは一つの時間スーパーフレームごとに組み込むＲＡ及び低／中間電力プリアンブル（または、例えば、ＧＡプリアンブル、非再使用プリアンブル、低／中間電力プリアンブル等）に専用される等々。スーパーフレーム／サイクルの数に対する無線信号の専用部分の数の選択は無線ＡＮにおける選択形式の送信器の数、そのような送信器のプリアンブルの干渉レベル、無線チャネルのそのような部分において決定された衝突の数等々に基づく。
【００４６】
いくつかの形態によると、時間及び／または周波数再使用はプリアンブル組み込みのために採用される。このように、信号資源はプリアンブルの伝送のために二つ以上の時間部分スロットまたは二つ以上の周波数部分帯域等（例えば、小部分）に細分化される。その小部分は一以上の選択されたＢＳに割当てられる。さらに、いくつかの部分は特定形式（例えば、アクセス時間、伝送電力、再使用形式）のＢＳ等々について予約される。一つの形態では、各ＢＳはそのプリアンブルを伝送するために明白な部分スロットを持つ。別の形態では、部分スロットより多いＢＳが存在する場合には、周波数再使用は一以上の部分スロットについて実施される。このように、二、三またはそれ以上のＢＳが部分スロットの周波数部分帯域に割当てられる。いくつかの形態では、ＢＳが無線信号の各部分フレーム／サイクルについて同じ部分スロットを採用するように割当は計画される。そのような形態では、端末デバイスは関係するプリアンブル伝送を取得するために単一信号資源をただ走査する必要がある。他の形態では、ＢＳが（例えば、上で論じたように、動的割付けを採用して）無線信号の異なるスーパーフレーム／サイクルの異なる資源においてプリアンブルを伝送するように、その割当は無作為、擬似無作為等である（例えば、乱数または疑似乱数生成アルゴリズムに基づく）。動的割付けは支配的な干渉ＢＳとの連続衝突の可能性を低減させるために採用される。少なくとも一つの追加の形態では、割当は端末デバイスからの衝突フィードバックに少なくとも一部基づき、そして共通の部分スロット上の多数のＢＳの伝送電力における実質的格差を緩和するために実施される。
【００４７】
ＢＳの時間及び周波数再使用及び部分ロット割当の両方を提供することは上で論じた感度低下問題を緩和するのに役立つ。例えば、受信器において取得された多数の信号の信号電力格差が大きい場合には、信号が異なる周波数部分帯域（例えば、周波数再使用を採用する直交周波数部分帯域）で伝送される場合でも、弱い信号は読めない。これは、例えば、弱い信号が量子化雑音レベル以下で受信される場合に発生する。この場合には、二つの異なる時間に信号を受信することが双方の信号の理解につながる。このように、学習組み込みにおいて、無線信号強度における高い格差は無線信号の異なる時間部分スロットへ二つの信号を組み込むことによって回避される。さらに、無作為／疑似無作為／時間変動再使用組み込みにおいて、二つのそのような信号が別のスーパーフレームの別の資源において衝突する場合でも一つのスーパーフレームの資源において衝突しないであろう確率が存在する。そのような形態では、無線信号の多数のスーパーフレーム伝送において多数の部分スロットを監視することによって、受信器は弱い信号がもっと高電力送信器と部分スロットにおいて共存しないところで部分スロットを結局は受取るであろう。
【００４８】
ここに開示したいくつかの例では、ＢＳは他のＢＳに予約された信号資源を空白にすることを要求される。例として、マクロＢＳ（例えば、高電力ＧＡ ＢＳ）はＲＡ ＢＳに予約された時間フレームを空白にすることを要求される。これは中断されつつあるマクロＢＳの自動反復要求（automatic repeat・request：ＡＲＱ）（もしくは、例えば、混成ＡＲＱまたは［ＨＡＲＱ］）時系列をもたらす。そのような場合には、マクロＢＳは逆方向回線（ＲＬ）トラヒックの割当または受信確認（acknowledgements）を伝送することができない。従って、開示のいくつかの形態では、ＢＳは一般インターレースに関する二つの空白フレーム（例えば、ＵＭＢシステムでは、間が７フレームだけ分離された二つのフレーム）を共にグループ化し、そしてグループ化フレームを共に割当／受信確認する。割当情報はグループ化フレームの前及び受信確認情報の後に組み込まれる。このように、例として、空白フレームに先立つ割当フレームは二つのＲＬフレームに適用され、そして空白フレームに続く受信確認フレームは二つの他のＲＬフレームに適用されるであろう。従って、ＨＡＲＱ機能はそのような指定フレームと共に実施される。
【００４９】
主題開示において使用されるように、用語「要素（コンポーネント）」、「システム」、「モジュール」等はコンピューター関連の実体、何れのハードウェア、ソフトウェア、実行中のソフトウェア、ファームウェア、ミドルウェア、マイクロコード、及び／またはその任意の組合せを云うことを意味する。例えば、モジュールはプロセッサー上で実行する処理、プロセッサー、対象（object）、実行ファイル（executable）、実行スレッド、プログラム、デバイス、及び／またはコンピューターであるが、それに制限されない。一以上のモジュールは実行の処理及び／またはスレッド内に在駐し、そしてモジュールは一つの電子デバイスに局在し、且つ／または二つ以上の電子デバイスの間に割振られる。さらに、これらのモジュールはその上に格納された様々なデータ構造を持つ様々なコンピューター可読メディアから実行する。それらのモジュールは一以上のデータ・パケット（例えば、局所システム、分散システムにおける別の要素と、そして／またはインターネットのようなネットワークを通して信号によって他のシステムとやり取りを行う一つの要素からのデータ）を持つ信号によるという局所的及び／または遠隔処理によって通信する。その上、当業者によって認識されるように、ここに述べるシステムの要素またはモジュールはそれに関して記述される様々な形態、目標、利点等の達成を容易にするために追加の要素／モジュール／システムによって再配置され、且つ／または補完され、そして所与の図に説明される正確な形状に制限されない。
【００５０】
さらに、様々な形態がユーザー端末（user terminal：ＵＴ）に関連してここに述べられる。ＵＴはまたシステム、加入者ユニット、加入者局、移動（モバイル）局、移動体（モバイル）、移動体（モバイル）通信デバイス、モバイル・デバイス、遠隔局、遠隔端末、アクセス端末（ＡＴ）、ユーザー・エージェント（ＵＡ）、ユーザー・デバイス、またはユーザー設備（ＵＥ）と呼ばれる。加入者局はセルラー電話、コードレス電話、セッション開始プロトコル（Session Initiation Protocol：ＳＩＰ）電話、無線地域回線（wireless local loop：ＷＬＬ）局、携帯情報機器（ＰＤＡ）、無線接続能力を持つ携帯用デバイス、または無線モデムまたは処理デバイスとの無線通信を容易にする類似の機能に接続された他の処理デバイスである。
【００５１】
一以上の典型的な実施例では、記述された機能がハードウェア、ソフトウェア、ファームウェア、ミドルウェア、マイクロコード、またはその任意の適切な組合せにおいて実施される。ソフトウェアにおいて実施されるならば、それらの機能はコンピューター可読メディア上に一以上の命令またはコードとして格納され、もしくは伝送される。コンピューター可読メディアは一つの場所から別の場所へのコンピューター・プログラムの転送を容易にする任意のメディアを含むコンピューター記憶メディア及び通信メディアの双方を含む。記憶メディアはコンピューターによってアクセスされる任意の物理的メディアである。一例として、制限ではなく、そのようなコンピューター記憶メディアはＲＡＭ、ＲＯＭ、ＥＥＰＲＯＭ、ＣＤ−ＲＯＭまたは他の光ディスク記憶、磁気ディスク記憶または他の磁気記憶デバイス、スマート・カード、及びフラッシュ・メモリー・デバイス（例えば、カード、スティック、キー・ドライブ・・・）、または所望のプログラム・コードを命令またはデータ構造の形で保持し、または格納するために使用され、且つコンピューターによってアクセスされる任意の他のメディアを含む。さらに、いずれかの接続は正しくコンピューター可読メディアと呼ばれる。例えば、ソフトウェアがウェブサイト、サーバー、または遠隔源から同軸ケーブル、光ファイバー・ケーブル、撚り対線、ディジタル加入者回線（ＤＳＬ）、または赤外線、高周波、及びマイクロ波といった無線技術を使用して伝送されるならば、同軸ケーブル、光ファイバー・ケーブル、撚り対線、ディジタル加入者回線（ＤＳＬ）、または赤外線、高周波、及びマイクロ波といった無線技術はメディアの定義に含まれる。ディスク及びここに使われるディスクはコンパクトディスク（ＣＤ）、レーザー・ディスク、光ディスク、ディジタル多目的ディスク（ＤＶＤ）、フロッピー（登録商標）・ディスク、及びブルーレイ・ディスクを含み、そこではディスクが磁気的にデータを通常再生し、一方、ディスクはレーザによって光学的にデータを再生する。前記の組合せもまたコンピューター可読メディアの範囲内に含まれる。
【００５２】
ハードウェア実施では、ここに開示された形態に関連して述べられる処理ユニットの様々な例示の論理、論理ブロック、モジュール、及び回路は一以上の特定用途向け集積回路（ＡＳＩＣ）、ディジタル信号プロセッサー（ＤＳＰ）、ディジタル信号処理デバイス（ＤＳＰＤ）、プログラマブル論理デバイス（ＰＬＤ）、フィールド・プログラマブル・ゲートアレイ（ＦＰＧＡ）、個別ゲートまたはトランジスター論理、個別ハードウェア部品、多目的プロセッサー、コントローラー、マイクロコントローラー、マイクロプロセッサー、ここに述べた機能を実行するために設計された他の電子ユニット、またはその任意の組合せの中で実施または実行される。多目的プロセッサーはマイクロプロセッサーであるが、これに代るものでは、プロセッサーは任意の従来プロセッサー、コントローラー、マイクロコントローラー、または状態機械である。プロセッサーはまた計算デバイスの組合せ、例えば、ＤＳＰとマイクロプロセッサーの組合せ、複数のマイクロプロセッサー、ＤＳＰコアと連係する一以上のマイクロプロセッサー、または他の任意のそのような構成として実施される。その上、少なくとも一つのプロセッサーはここに述べる一以上のステップ及び／または動作を実行するために動作可能な一以上のモジュールを含む。
【００５３】
さらに、ここに述べる様々な形態または特徴は標準プログラミング及び／またはエンジニアリング技術を使用して方法、装置、または製造品として実施される。さらに、ここに開示された形態に関連して述べる方法またはアルゴリズムのステップ及び／または行為は直接ハードウェアにおいて、プロセッサーによって実行されたソフトウェア・モジュールにおいて、もしくは二つの組合せにおいて具体化される。その上、いくつかの形態において、方法またはアルゴリズムのステップ及び／または行為はコード及び／または命令の少なくとも一つまたは任意の組合せまたは集合としてマシン可読メディア及び／またはコンピューター可読メディア上に在駐し、それはコンピューター・プログラム製品に組込まれる。ここに使われる「製造品（article of manufacture）」は任意のコンピューター可読デバイスまたはメディアからアクセス可能なコンピューター・プログラムを包含することを意味する。
【００５４】
その上、単語「典型的な（exemplary）」は例（example）、場合（instance）、または例示（illustration）として役立つことを意味するようにこの中に使用される。「典型的な」としてここに述べた任意の形態及び設計は他の形態及び設計に関して必ずしも好ましい、または有利であるとして解釈されるとは限らない。むしろ、単語「典型的な」の使用は具体的方法で概念を提示することを意味する。この明細書に使用されるように、用語「または（もしくは、或いは）（or）」は排他的な「または」ではなく、包括的な「または」を意味する。即ち、他に指定されない限り、または文脈から明らかでない限り、「ＸはＡまたはＢを採用する」は自然の包括的な置換のどれでも意味する。即ち、ＸがＡを採用する；ＸがＢを採用する；またはＸがＡ及びＢ双方を採用するならば、「ＸはＡまたはＢを採用する」は前記の場合のどれにおいても満たされる。その上、この明細書及び付加請求項において使用される不定冠詞「ａ（一つの）」及び「ａｎ（一つの）」は他に指定されない限り、または単数形に指示されるべく文脈から明らかでない限り、「一つ以上（one or more）」を意味するように一般に解釈されるべきである。
【００５５】
ここに使用されるように、用語「推論する（infer）」または「推論（inference）」は事象（events）及び／またはデータを介して捕えられた一組の観測からシステム、環境、及び／またはユーザーの状態を判断する、または推論する処理を一般に云う。例えば、推論は特定の文脈または行為を識別するために採用され、或いは状態における確率分布を生成する。推論は確率的である、即ち、関心の状態における確率分布の計算はデータ及び事象の考察に基づく。推論はまた一組の事象及び／またはデータから高レベルの事象を作成するために使用される技法を云う。その事象が緊密な時間的近接度で相関しているかどうかに拘らず、そして事象及びデータが一つまたはいくつかの事象及びデータに由来しているかどうかに拘らず、そのような推論は一組の観測事象及び／または格納事象データから新しい事象または行為の構築をもたらす。
【００５６】
ここで図面を参照すると、図１は、例えば、一以上の形態と関連して利用できる、多数の基地局１１０（例えば無線ＡＰ）及び多数の端末１２０（例えばＵＴ）を持つ無線通信システム１００を例示する。基地局（１１０）は一般に端末と通信する固定局であり、そしてまたアクセス点、ノードＢ、または他の用語で呼ばれる。各基地局１１０は、図１において三つの地理区域として例示され、１０２ａ、１０２ｂ、及び１０２ｃでラベル付けされた特定の地理区域または対象区域の通信適用範囲を提供する。用語「セル」はその用語が使用される文脈に応じて、基地局及び／またはその通信適用範囲を云う。システム容量を拡充するために、基地局の地理区域／通信適用区域は多数の小区域（例えば、図１のセル１０２ａによると、三つの小区域）１０４ａ、１０４ｂ、及び１０４ｃに分割される。各小区域（１０４ａ、１０４ｂ、１０４ｃ）はそれぞれの基地送受信器サブシステム（ＢＴＳ）によるサービスを受ける。用語「セクター」はその用語が使用される文脈に応じてＢＴＳ及び／またはその通信適用区域を云う。セクター化セルでは、そのセルの全てのセクターのＢＴＳが一般的にセルの基地局の中に共に位置する。ここに述べる伝送技術は非セクター化セルを持つシステムと同様に、セクター化セルを持つシステムに使用される。簡単にするために、次の記述では、他に指定されない限り、用語「基地局」は遺伝学的に固定局のために使用される。
【００５７】
端末１２０は一般的にシステム中に分散され、そして各端末１２０は固定、もしくは移動可能である。上で述べたように、端末１２０はまた移動局、ユーザー設備、ユーザー・デバイス、または他の用語で呼ばれる。端末１２０は無線デバイス、携帯電話、携帯情報機器（ＰＤＡ）、無線モデム・カード等々である。各端末１２０はゼロ、１、２、または多数の基地局１１０と任意の或る時間に下り回線（例えば、ＦＬ）及び上り回線（例えば、ＲＬ）上で通信する。下り回線は基地局から端末への通信回線を云い、そして上り回線は端末から基地局への通信回線を云う。
【００５８】
集中化アーキテクチャでは、システム制御器１３０は基地局１１０に接続し、基地局１１０のために調整及び制御を行う。分散化アーキテクチャでは、基地局１１０は（例えば、基地局１１０を通信的に接続する帰路ネットワークとして）必要に応じて相互に通信する。順方向回線上のデータ伝送は、一つのアクセス点から一つのアクセス端末に対して、順方向回線及び／または通信システムによって支援される最大データ速度（data rate）またはその近傍の速度で、しばしば発生する。順方向回線の追加チャネル（例えば、制御チャネル）は、多数のアクセス点から一つのアクセス端末へ伝送される。逆方向回線データ通信は一つのアクセス端末から一以上のアクセス点へ発生する。
【００５９】
図２は異種の無線基地局（ＢＳ）（２０４Ａ、２０４Ｂ、２０４Ｃ、２０４Ｄ）を含む無線アクセス・ネットワーク（ＡＮ）においてＢＳ検出を行う見本システム２００のブロック図を例示する。ＢＳ ２０４Ａ、２０４Ｂ、２０４Ｃ、２０４Ｄは同期または非同期ＡＮの一部であとことを認識すべきである。モバイル・デバイス２０６は無線ＡＮの様々なＢＳ ２０４Ａ、２０４Ｂ、２０４Ｃ、２０４Ｄから無線信号を受信する。その上、干渉低減装置２０２は、ＢＳ ２０４Ａ、２０４Ｂ、２０４Ｃ、２０４Ｄによって伝送される無線信号の少なくともいくらかの部分について、デバイス２０６における干渉を低減もしくは取除くために、一以上のＢＳ ２０４Ａ、２０４Ｂ、２０４Ｃ、２０４Ｄの無線信号伝送を管理する。
【００６０】
モバイル・デバイス２０６はそのようなデバイス２０６の受信器において取得された無線信号を分析する。例えば、デバイス２０６は信号プリアンブルのそのような信号の一部を走査することによって、様々な信号の制御チャネル及び／または捕捉パイロット情報を観測する。信号プリアンブルは特定の信号を伝送する基地局（２０４Ａ、２０４Ｂ、２０４Ｃ、２０４Ｄ）を確認し、その信号を復号、且つ復調する方法をモバイル・デバイス２０６に指示し、そして逆方向回線（ＲＬ）チャネル、及び／または同様なものにおいてデータを基地局（２０４Ａ、２０４Ｂ、２０４Ｃ、２０４Ｄ）に送る方法を確認する。さらに、モバイル・デバイス２０６は受信信号の特性（例えば、信号強度、経路損失、等）に基づいてサービス基地局２０４Ａ、２０４Ｂ、２０４Ｃ、２０４Ｄを選択する。
【００６１】
上記で論じたように、多数の基地局（２０４Ａ、２０４Ｂ、２０４Ｃ、２０４Ｄ）のプリアンブルが受信無線信号の共有資源（例えば、フレーム）を占有する場合、プリアンブルは相互に干渉し、モバイル・デバイス２０６において区別しにくくなる。この問題を緩和するために、干渉低減装置２０２は特定のＢＳ（２０４Ｂ、２０４Ｃ、２０４Ｄ）、特定のＢＳ形式（例えば、アクセス形式、再使用形式、送信電力）等によってプリアンブル組み込みのために無線信号の資源を指定する。例えば、一つの資源はＧＡ ＢＳプリアンブルのために指定され、その結果、ＲＡ ＢＳ（２０４Ａ）はそのような資源上でプリアンブルを伝送するのを控える。従って、ＲＡ ＢＳ（２０４Ａ）からのプリアンブル干渉は低減されるか、もしくは除去される。その資源が特定の周波数帯域である場合は、プリアンブル干渉は周波数帯域の間で量子化雑音レベルまで大幅に低減される。その資源が無線信号の特定の時間フレーム／部分フレーム／部分スロットである場合は、プリアンブル干渉はモバイル・デバイス２０６において大幅に除去される。無線信号の資源の追加の指定は、下記で（例えば、図３、４、５及び６以下に）論じるように、異種のＢＳのプリアンブルをさらに分離するために導入される。
【００６２】
図３は主題開示の形態による無線信号３００の一部の例を示す。無線信号３００は三つの時間フレーム３０２Ａ、３０２Ｂ、３０２Ｃを含む。時間フレーム３０２Ａ、３０２Ｂ、３０２ＣはＵＭＢ信号のスーパーフレーム、または異なる形式の無線通信システム（例えば、第三世代共同プロジェクト［３ＧＰＰ］、長期進化［ＬＴＥ］、グローバル・モバイル通信システム［ＧＳＭ］、汎用モバイル遠距離通信システム［ＵＭＴＳ］、または同等のシステム）によって生成された信号の他の適切な時間部分（例えばサイクル）である。時間フレーム（３０２Ａ、３０２Ｂ、３０２Ｃ）は通信システムの適切な要求によれば任意の適切な時間期間（例えば、２５ミリ秒）である。図に示したように、時間フレーム３０２Ａ、３０２Ｂ、３０２Ｃはさらに多数の時間ベース部分３０４（例えば、実質的に１ミリ秒期間のフレーム、または他の信号資源）に分割される。各部分３０４（例えば、資源）は（例えば、その部分の全ての時間、周波数、シンボル、及び／またはコード資源を使用して）無線情報の伝送のために利用され、プリアンブル、トラヒック・データ等を含む。資源の一部はまた（例えば、その部分の時間、周波数、シンボル及び／またはコード資源の部分集合だけを使用して）無線情報を送るために利用されることをさらに認識すべきである。さらに、様々なＢＳはそれらのプリアンブルを異なる時間フレーム３０２Ａ、３０２Ｂ、３０２Ｃについて異なる信号資源（例えば、様々なスーパーフレーム３０２Ａ、３０２Ｂ、３０２Ｃの灰色の時間フレームによって示される）に動的に割付ける。そのような配列は多数の時間フレーム３０２Ａ、３０２Ｂ、３０２Ｃにおける支配的な干渉からのプリアンブル衝突を低減させる。
【００６３】
前記に加えて、信号時間フレーム３０２Ａ、３０２Ｂ、３０２Ｃの少なくとも一部分は、異なるＢＳ及び／または異なる形式のＢＳについてのプリアンブルに割付けられる。すなわち、信号時間フレーム３０２Ａ、３０２Ｂ、３０２Ｃの第一、第三及び第二部分において斜方平行模様（cross・hatch pattern）でそれぞれ図示したように、一部分は非再使用ＢＳ用のプリアンブルのために予約される。さらに、非再使用ＢＳのプリアンブルに割付けられた部分は、再使用ＢＳのプリアンブルに対して制限される（または例えば逆に、再使用ＢＳに割付けられた資源が非再使用ＢＳに制限されるように）。従って、非再使用ＢＳ制御及び／または捕捉情報について、信号３００を監視するモバイル・デバイス（図示されない）は再使用ＢＳからの干渉なしで各信号時間フレーム３０２Ａ、３０２Ｂ、３０２Ｃの部分に注目する。さらに、再使用ＢＳ制御及び／または捕捉情報について信号３００を監視するモバイル・デバイスは非再使用ＢＳに専用の部分を無視し、潜在的に非再使用ＢＳによって引起こされた干渉を低減させる。このように、特定のＢＳのプリアンブルを無線信号３００の特定の部分（３００）に割当てることによって、少なくともプリアンブル情報の干渉は適切な環境において低減されるか、それとも除去される。
【００６４】
図４へ転じると、主題開示の追加の形態による追加無線信号４００が図示される。無線信号４００は一以上の信号時間フレーム（例えば、スーパーフレーム）４０２を含む。各信号時間フレーム４０２はさらにその多数の部分４０４に分割される。信号時間フレーム４０２の部分４０４は異なる通信情報によって各々変調される。主題開示の特定の形態によると、信号時間フレーム４０２はプリアンブル情報（例えば、制御情報、捕捉情報）に指定された特定の部分（４０４）及びトラヒック情報に指定された他の部分（４０４）を持つ。さらに、いくつかの部分（４０４）は多数のＢＳ間の干渉を低減させるために特定のＢＳまたはＢＳの形式のプリアンブル情報を指定される。
【００６５】
図示したように、信号時間フレーム４０４の最初の部分４０４Ａは非再使用ＢＳのプリアンブル情報に指定される。このように、そのようなＢＳは少なくとも部分４０４Ａにおけるプリアンブル情報を組み込み、そして伝送する。前記に加えて、再使用ＢＳは非再使用ＢＳに指定された最初の部分４０４Ａを空白にする。主題開示の特定の形態によると、指定された資源は特定の形式のＢＳについて一つのスーパーフレームから別のものに変化する。このように、非再使用ＢＳに指定された部分４０４Ａにおける再使用ＢＳからの干渉は低減されるか、それとも除去され、そして多数のスーパーフレームにわたる多数の非再使用ＢＳからの干渉は同様に緩和される。
【００６６】
主題開示の更なる形態によると、信号時間フレーム４０２（もしくは、例えば、多数のそのような信号時間フレーム４０２）の一以上の追加部分（４０４Ｂ）は少なくとも再使用ＢＳに指定される。このように、例として、無線信号４００は少なくとも再使用ＢＳに指定された時間フレーム４０２ごとに一つの部分４０４Ｂ、二つの時間フレーム４０２ごとに一つの部分４０４Ｂ等を持つ。他の例によると、時間フレーム４０２の多数の部分（４０４Ｂ）は少なくとも再使用ＢＳに指定される。再使用ＢＳに指定された部分（４０４Ｂ）の数は無線ネットワーク、そのようなネットワークのセクター／セル等々におけるそのようなＢＳの数に基づいて決定される。
【００６７】
前記に加えて、少なくとも再使用ＢＳに指定された無線信号４００の部分４０４Ｂは二つ以上の周波数部分帯域に分割される。無線ＡＮ内の異なる再使用ＢＳはプリアンブル情報を伝送するため第二部分４０４Ｂを採用してそのようなＢＳ間の干渉を低減させるために第二部分４０４Ｂの様々な周波数部分帯域に（もしくは、例えば、多数のそのような部分４０４Ｂの一つに）割当てられる。部分帯域の割当はいくつかの方式の少なくとも一つで実施される。第一に、適当な再使用ＢＳ（例えば、ＲＡ、中間電力ＧＡ、低電力ＧＡ）は例えば乱数／疑似乱数発生器を採用することによって、無線信号４００のそのような各部分４０４Ｂの無作為または疑似無作為の部分帯域（もしくは、例えば、別の適切な時間に基づく部分の部分帯域）に割当てられる。このように、ＢＳが信号時間フレーム４０２の一つの部分帯域４０６で干渉する場合は、同じＢＳが別の信号時間フレーム（４０２）の指定再使用ＢＳ部分４０４Ｂにおいて干渉することはありそうもない。第二に、特定のＢＳが信号時間フレーム４０２のＲＡ ＢＳ部分４０４Ｂの特定の部分帯域に割当てられるように、部分帯域の割当は事前計画された方式で実施される。例えば、第二部分４０４Ｂを利用するＢＳがそのような部分４０４Ｂの部分帯域より少なく存在する場合は、そのような形態は有益である。第二の実施の一つの特定の形態では、プリアンブルが無線信号４００の異なる時間フレーム（４０２）にわたって異なる資源に組み込まれるように、事前計画された割当は動的な割当を採用する。第三の実施によると、部分帯域の割当は受信デバイスから取得される情報に少なくとも一部基づく。例えば、二つのＢＳが特定の部分帯域上で著しく干渉することをデバイスが示す場合、確認されたＢＳは部分４０４Ｂの異なる部分帯域に、または個別の信号時間フレーム４０２の再使用ＢＳ部分４０４Ｂに割当てられる。
【００６８】
どちらの実施が選択されるかに拘わらず、指定されたプリアンブル資源は無線信号４００の様々な時間フレーム（４０２）に配分される。このように、一つの特定の例として、一つの再使用ＢＳフレーム（４０４Ｂ）は二つの信号時間フレーム４０２毎に割当てられる。その上、各再使用ＢＳフレーム（４０４Ｂ）は（例えば、信号４００の総帯域幅の実質的に四分の一の）４個の異なる周波数部分帯域に分割される。再使用ＢＳは一つの部分帯域においてそれらのプリアンブルを全ての他の再使用ＢＳフレーム（４０４Ｂ）、または無線信号４００の８個の時間−周波数部分の一つに組み込むように割当てられる。従って、特定のＢＳは四つの信号時間フレーム４０２毎に一つの再使用ＢＳフレーム（４０４Ｂ）においてそのプリアンブルを伝送するであろう。時間−周波数再使用は事前計画され、様々な時間フレーム（４０２）にわたって無作為に割当てられ、もしくは学習される（例えば、随意的に、衝突干渉が特定の限界干渉レベル以上に上がり、ＳＮＲが限界ＳＮＲレベル以下に落ち、経路損失が限界経路損失以上に上がる等々の場合には、受信デバイスからの衝突フィードバック情報に少なくとも一部基づいて割当てられる）。さらに、計画／学習されたプリアンブル割当が少なくとも一つのスーパーフレーム４０２から別のものに変化するように、事前計画及び学習された再使用は動的に割付けられる。
【００６９】
しかしながら、再使用ＢＳは、開示のいくつかの形態では、再使用ＢＳフレーム（４０４Ｂ）においてプリアンブルを組み込むけれども、そのようなＢＳはまたプリアンブル情報を同様に伝送するために非再使用ＢＳフレーム４０４Ａを採用する。このように、そのような形態では、非再使用フレーム４０４Ａはその代りに実際に一般使用フレームである。これは支配的な干渉が高電力マクロＢＳ（例えば、一般的に非再使用ＢＳ）である場合には有用である。中間及び低電力ＧＡ ＢＳ（それは一般的に再使用ＢＳである）は、上で論じた割当アルゴリズム、または同等のアルゴリズムに従って、特定の再使用フレーム（４０４Ｂ）と同様に一般使用フレーム（４０４Ａ）においてプリアンブル情報を伝送する。まだ他の形態によると、ＲＡ ＢＳは再使用フレーム４０４Ｂにおいてプリアンブルを伝送することを許されるが、非再使用または一般フレーム４０４Ａでは許されない。このことは、受信器で観測されたように、非常に近い、且つ比較的高電力の送信器の存在において遥か遠方のマクロＢＳの検出を容易にする。
【００７０】
図５は主題開示の更なる形態による無線信号時間フレーム例５０２を示す。時間フレーム５０２は任意のＢＳによるプリアンブルの伝送（または、例えば、任意のＧＡ ＢＳによるプリアンブルの伝送）のための少なくとも一つの一般プリアンブル・フレーム５０４Ａを含む。時間フレーム５０２はプリアンブルを伝送するため部分資源を採用してＢＳによって伝送されるプリアンブルに制限された少なくとも一つの再使用プリアンブル・フレームを含む。無線信号５００の他のフレームはデータ・トラヒックのために利用される。開示の少なくとも一つの形態では、一般フレーム５０４Ａ及び再使用フレーム５０４Ｂの場所は（例えば、計画された方法、無作為または疑似無作為方法、学習方法等々において）スーパーフレーム（５０２）ごとに変化する。
【００７１】
主題開示の少なくともいくつかの形態では、再使用フレーム５０４Ｂは（例えば、幅が８部分帯域の）周波数部分帯域タイルの集合に細分化される。部分帯域タイルは実質的に類似の帯域幅であり、もしくは帯域幅の異なるグループを持つように選択される（例えば、タイルの第一部分集合は第一帯域幅を持つ；タイルの第二の部分集合は第二帯域幅等を持つ等々）。さらに、部分帯域タイルは一以上のタイル・グループ５０６Ａ、５０６Ｂ、５０６Ｃにグループ化される。タイル・グループ５０６Ａ、５０６Ｂ、５０６Ｃは無作為、疑似無作為的に、そして／または所定の選択機能に従ってタイルの集合から選択される。各タイル・グループ５０６Ａ、５０６Ｂ、５０６Ｃは、上で述べたように、タイルの集合から選択された二以上のタイルを含む。さらに、多数の再使用フレーム（５０４Ｂ）の場合には、様々なタイルが多数のそのようなフレーム（５０４Ｂ）から選択され、信号スーパー・フレーム５０２の多数の時間フレームにわたるタイル・グループがもたらされる。そのような方法で、タイル・グループ５０６Ａ、５０６Ｂ、５０６Ｃはデータ（例えば、プリアンブル情報）を伝送するために適切な時間−周波数資源組合せを提供する。タイル・グループは再使用時間フレームからの整合タイルから構成されるが、その必要はないことを認識すべきである。このように、一つの例では、二以上のそのような時間フレームの各々からの第一、第三及び第五（またはいくつかの他の組合せ）タイルはタイル・グループを含む。別の例では、第一時間フレームからの第一、第三及び第五タイルは適切なタイル・グループを形成するために一以上の他の再使用時間フレームからの第十タイル（または第一及び他の再使用時間フレームからのいくつかの他のタイルの部分集合）と結合される。
【００７２】
開示のさらなる形態によると、一以上のＢＳはプリアンブル情報の伝送のために少なくとも一つのタイル・グループ５０６Ａ、５０６Ｂ、５０６Ｃを選択する。例えば、第一ＢＳはタイル・グループ１５０６Ａを選択し、そして第二ＢＳはそのようなＢＳと関連する信号プリアンブルの伝送のためにタイル・グループ２５０６Ｂを選択する。選択は無作為または擬似無作為であり（例えば、乱数または疑似乱数発生器に基づき）、特定のアルゴリズムに従って計画され、或いはプリアンブル衝突を緩和するために衝突フィードバック情報に基づく。さらに、ＢＳのタイル・グループの選択が無線信号５００の一つのスーパーフレーム（５０２）から別のスーパーフレーム（５０２）に変化するように、選択はここに述べたように動的割付けを採用する。
【００７３】
上記にさらに、全ての信号プリアンブルの全てまたは一部分はタイル・グループ５０６Ａ、５０６Ｂ、５０６Ｃの各タイルにおいて伝送されることを認識すべきである。このように、ＢＳはグループ５０６Ａ、５０６Ｂ、５０６Ｃのタイルにおいて制御チャネル情報を伝送する。代りに、もしくはその上に、ＢＳはタイル・グループ５０６Ａ、５０６Ｂ、５０６Ｃのタイルにおいて同期化信号を伝送する。プリアンブル情報、またはそのような情報の部分集合をタイル・グループ５０６Ａ、５０６Ｂ、５０６Ｃの多数のタイルにおいて伝送することによって、支配的干渉する送信器の影響は緩和される。特定の例として、支配的干渉体（interferer）がタイル・グループ５０６Ａ、５０６Ｂ、５０６Ｃの一つのタイル上で伝送ＢＳと衝突するならば、別のそのようなタイルは支配的干渉体からの干渉を低減していたか、干渉がなかったということが有り得る。従って、受信デバイス（例えば、モバイル端末）はタイル・グループ５０６Ａ、５０６Ｂ、５０６Ｃの少なくとも一つのそのようなタイル上で伝送ＢＳから信号を捕捉する。
【００７４】
図６は主題開示の追加形態による例無線信号時間フレーム６０２を例示する。図４ ４０２（上記）に例示した信号時間フレームと同様に、信号時間フレーム６０２は信号時間フレーム６０２のいくつかの小さな時間準拠部分４０４（例えば、フレーム）を含む。信号時間フレーム６０２の第一部分６０４Ａは、ここに述べたように、任意の適切なＢＳのプリアンブル情報に、またはＧＡ ＢＳのような一般形式のＢＳに専用される。さらに、信号時間フレーム６０２の（または、例えば、二つの信号時間フレーム６０２毎の一つの部分６０４Ｂ等々といった、多数のそのような信号時間フレーム６０２の）第二部分は再使用ＢＳ（例えば、マイクロ・セル、ピコ・セル、フェムト・セル等）のプリアンブル情報に専用される。その上、マクロ・セルＢＳは第二部分６０４Ｂを空白にする。随意的に、ＲＡ ＢＳは第一部分６０４Ａを空白にする。そのような配置において、少なくともマクロ及びＲＡ ＢＳのプリアンブル干渉はそれぞれの時間フレーム６０４Ａ、６０４Ｂを空白にすることによって低減もしくは除去される。
【００７５】
前記に加えて、信号時間フレーム６０２の第二部分６０４Ｂはさらに周波数部分帯域に分割される。適用可能な再使用ＢＳ（例えば、ＲＡ ＢＳ、中間電力ＧＡ ＢＳ、低電力ＧＡ ＢＳ）はここに述べるように一以上の信号時間フレーム６０２の少なくとも一つのそのような周波数部分帯域においてプリアンブル情報の少なくとも一部分を伝送する。主題開示の少なくとも一つの形態では、再使用ＢＳは再使用時間フレーム６０４Ｂの少なくとも一つの周波数部分帯域に同期化信号を組み込む。そのような部分帯域及び／または第二部分６０４Ｂの割当は計画され、または無作為／疑似無作為的であり、或いは無線ＡＮのＢＳによってサービスされるモバイル・デバイスの衝突フィードバック情報、またはその組合せに基づいて学習される。従って、第二部分６０４Ｂを採用するＢＳは様々な部分帯域によって周波数で、或いは明確な信号時間フレームにより分離された部分６０４Ｂによって時間で、または両方で分離され、ＲＡ及び／または中間−低電力ＧＡ ＢＳの干渉を低減させる。
【００７６】
前記に加えて、再使用時間フレームの周波数部分帯域はさらに、図５（上記）で論じたように、周波数副搬送波・タイルの集合に細分化される。タイルの集合の部分集合を含む一以上のタイル・グループが確立される。そのようなタイル・グループはここに述べたように（例えば、疑似作為的に、選択関数等に基づいて）決定される。いくつかの形態では、タイルは共通周波数部分帯域の中でグループ化される。他の形態では、タイルは周波数部分帯域にわたってグループ化される。さらなる形態によると、再使用ＢＳの制御チャネル情報（例えば、Ｆ−ＰＢＣＣＨ、Ｆ−ＳＢＣＣＨ、Ｆ−ＱＰＣＨ情報）は少なくとも一つのタイル・グループの各タイルに組み込まれる。このように、そのような形態では、タイル・グループの任意の適切なタイルは制御チャネル情報を搬送する。さらなる形態によると、タイルは一以上のタイルにおける支配的干渉の影響を低減させるために作為的に／疑似作為的にグループ化される。グループ化のために作為的に／疑似作為的に選択されたタイルを採用することによって、タイルの部分集合が支配的干渉を見るならば、一以上の他のタイルは制御チャネル情報を提供する。
【００７７】
特定の例として、再使用ＢＳはプリアンブル情報の一部分を再使用時間フレーム６０４Ｂの周波数部分帯域に組み込み、そしてプリアンブル情報の別の部分を選択されたタイル・グループに組み込む。さらに特定の例として、同期化情報（例えば、一次同期化系列［ＰＳＣ］、二次同期化系列［ＳＳＣ］、ＵＭＢシステムのＴＤＭ同期化コード等）は、上で論じたように、再使用フレーム（６０４Ｂ）の一つの周波数部分帯域に組み込まれ、一方、制御チャネル情報は選択されたタイル・グループに組み込まれる。そのような配置は無線信号のプリアンブル・データに追加ダイバシティを提供する。
【００７８】
一以上の他の形態によると、各セクター／ＢＳは制御チャネル情報を送るために作為的に／疑似作為的に選択されたタイル・グループを採用する。異なるセクターが独立したタイル・グループを採用するので、支配的干渉体はいくつかのタイル上の弱いセクターと衝突するであろうが、全てのタイル上で衝突することはない。高い確率で、いくつかのタイルは支配的干渉がないであろう、そして制御チャネル情報は旨く復号される。その上、各タイルは受信デバイスがそのタイル上でチャネル及び干渉値を決定することを可能にするためにタイルのパイロット情報を運ぶ。いくつかの形態では、衝突及び／または干渉情報は特に明確に衝突しているＢＳを異なるタイル・グループに分離する干渉低減装置（図示されないが、図２の２０２参照（上記））に折返し通報される。信号時間フレーム６０２の一部分６０４Ｂに採用されるタイルのサイズ（例えば、帯域幅）、数またはパイロット位置は（例えば、現行の無線ＡＮ条件に関して）さらなる最適化に基づいて変化にしたがうことを認識すべきである。
【００７９】
図７は主題開示のまだ他の形態による無線信号例７００を例示する。特に、無線信号７００はそのような無線信号７００の一つのインターレース７０２を図示する。異種ＡＰ環境における特定の形式のＢＳの無線信号（７００）の特定の部分（７０４）を指定する一つの潜在的な問題は一以上のそのような部分（７０４Ｂ）を空白にすることをＢＳに要求することに起因する。例えば、ここに述べたように、マクロＢＳは再使用ＢＳ、ＲＡ ＢＳ等々のプリアンブル情報に専用される無線信号７００の部分（７０４Ｂ）を空白にすることを要求される。このことは自動繰返し再要求（Automatic Repeat reQuest：ＡＲＱ）機能（または、例えば、混成（hybrid）ＡＲＱ［ＨＡＲＱ］）といった、マクロＢＳの或る時系列準拠（timeline・based）機能の中断をもたらす。このように、マクロＢＳはそのようなフレームにおいてＲＬトラヒックの割当または承認機能を組み込むことができない。この問題に取組むために、マクロＢＳがプリアンブル情報（例えば、二つのＧＡ ＢＳフレームまたは一般ＢＳフレーム）を伝送する二つのフレームは無線信号７００の共通インターレース７０２に関して共にグループ化される。例えば、８個のインターレースを持つＵＭＢシステムの場合は、二つのそのようなマクロＢＳ（７０４Ａ）は７個の介在フレームによってグループ化されるフレーム７０４ＡはマクロＢＳによって共に割当／承認される。従って、空白にされたフレーム（例えば、７０４Ｂ）の前の割当フレームは二つのＲＬフレームへ適用し、そして空白にされたフレーム（７０４Ｂ）の後の割当フレームは追加の二つのＲＬフレームへ適用する。従って、時系列準拠機能は空白にされたフレーム（７０４Ｂ）による重大な干渉なしでマクロＢＳによって実行される。
【００８０】
追加の形態によると、信号プリアンブル情報に専用される信号７００の部分（７０４Ａ、７０４Ｂ）は「遊休（idle）」受信デバイス（例えば、モバイル・デバイス）の処理を低減するように編成される。例えば、ハンドオフ操作を実施するために、一般的にモバイル・デバイスは近隣ＢＳ（例えば、図２（上記）参照）の信号を定期的に探索しなければならない。モバイル・デバイスは一般的に稼働するか、または「遊休」モードのままであり、そして一以上の近隣のＢＳと同様にサービスＢＳの受信プリアンブルを処理する。現在の文脈では、これはＲＡ ＢＳによって利用される一以上のプリアンブル部分と同様にマクロＢＳによって利用されるプリアンブル信号部分を含む。このように、例として、マクロＢＳのプリアンブルが信号時間フレーム（例えば、スーパーフレーム）の第一部分（例えば、フレーム）で組み込まれ、そしてＲＡ ＢＳのプリアンブルが信号時間フレームの中間部分で組み込まれる場合は、モバイル・デバイスは信号時間フレームごとに二度起上がらなければならず、モバイル・デバイスにおける処理電力及び電力消費を増大させる。主題開示の少なくとも一つの形態によると、一つのＢＳまたはＢＳ形式に予約される信号の第一部分（７０４Ｂ）は別のＢＳまたはＢＳ形式に予約される信号７００の別の部分（７０４Ａ）と連続して置かれる。その上、第一信号時間フレームは信号時間フレームの終端部分で伝送されたプリアンブルを持ち、そして次の信号時間フレームはそのような時間フレームの始まり部分で伝送されたプリアンブルを持つ。このように、モバイル・デバイスはプリアンブル情報を信号時間フレームごとに、平均して、一度積極的に処理しており、そして信号時間フレームの残りでは「遊休」に留まり、そのようなデバイスの明確な起上がりの回数を最小化する。
【００８１】
図８は主題開示の形態による基地局８０２及び一以上のＡＴ８０４（例えば、モバイル・デバイス）を含むシステム例８００のブロック図を示す。基地局８０２は基地局８０２の伝送電力（例えば、マクロＢＳ、高電力、中間電力、低電力）、再使用形式（例えば、非再使用、再使用）及び／またはアクセス形式（例えば、ＧＡ ＢＳ）に従ってプリアンブル組み込みを管理することによって無線ＡＮについて干渉を低減させるように構成される。ここに述べるように、基地局８０２は無線信号のプリアンブル情報を無線信号の一以上の選択された部分の中へ組み込むように構成される。さらに、基地局８０２は特定のチャネル資源上の他の基地局（図示されない）プリアンブルとの衝突を低減させるために、いくつかの形態に従って、無線信号の多数のスーパーフレーム／サイクルにわたって動的割付け（例えば、無作為／疑似無作為組み込み及び／またはフィードバック準拠組み込み）を採用する。
【００８２】
基地局８０２（例えば、アクセス点、・・・）は一以上のアンテナ８０６を経由して一以上のＡＴ８０４から信号、及び無線（over・the・air：ＯＴＡ）メッセージを受信する受信器８１０、及び変調器８３０によって提供された符号化／変調ＯＴＡメッセージを一以上のＡＴ８０４へ送信アンテナ８０８を経由して伝送する送信器８３２を含む。受信器８１０は受信アンテナ８０６から情報を受取り、そしてさらにＡＴ８０４によって伝送された上り回線データを受取る信号受信部（示されない）を含む。その上、受信器８１０は受信情報を復調する復調器８１２と動作可能に関連する。復調シンボルはプロセッサー８１４によって分析される。プロセッサー８１４は基地局８０２よって提供された機能に関係する情報を格納するメモリー８１６に接続される。一例では、格納情報は無線信号を構文解析し、且つ順方向回線（ＦＬ）及び逆方向回線（ＲＬ）伝送を信号の一以上の時間及び／または周波数の細分割に組み込むためのプロトコルを含む。特に、ここに述べたように、格納情報はプリアンブル情報を無線信号の無作為または所定の部分の中へ組み込み、無線信号の一以上の他の部分を空白にし、ＡＴ８０４から信号衝突情報を取得し、無作為及び／または学習組み込みに基づいて追加衝突を回避するため等々の規則を含む。
【００８３】
いくつかの形態によると、プロセッサー８１４は基地局８０２の信号プリアンブルを信号時間フレームの第一部分の中に組み込む信号パーザー８１８に接続される。その上、信号パーザー８１８は基地局８０２と比較すると異種の形式の基地局に予約された信号時間フレームの第二部分を空白にし、或いはその中へ組み込まない。例えば、基地局８０２がマクロＢＳである場合には、再使用ＢＳに専用される信号の部分は空白にされる。別の例では、基地局８０２がＲＡ ＢＳである場合には、ＧＡ ＢＳに専用される信号の部分は空白にされる。代りに、もしくはそれに加えて、基地局８０２が中間電力または低電力ＧＡ ＢＳである場合には、基地局８０２はＧＡ ＢＳに専用される部分、ＲＡ ＢＳに専用される部分、または両方においてプリアンブルを組み込む。前記に加えて、ここに述べたように、基地局８０２は信号プリアンブルを信号の二以上のスーパーフレーム／サイクルの異なる資源に動的に割付ける。
【００８４】
プロセッサー８１４はその上信号資源の集合の部分集合を予約するタイミング分割モジュール８２０に接続され、そして部分集合の資源から非再使用プリアンブル組み込みを制限する。このように、基地局８０２が高電力非再使用送信器（例えば、マクロＢＳ）である場合には、タイミング分割モジュール８２０は予約された時間フレームの部分集合においてプリアンブル信号を組み込むことから信号パーザー８１８を制限する。いくつかの形態によると、タイミング分割モジュール８２０は複数の時間フレームをＲＡ ＢＳの、そして、随意的に、低電力または中間電力ＧＡ ＢＳの一以上のスーパー−フレームの各々に提供する。例として、タイミング分割モジュール８２０は４個のスーパーフレーム毎に二つの時間フレームを提供し、そしてそのような時間フレームをＢＳに指定する。そのような情況では、基地局８０２がＲＡ ＢＳもしくは低／中間電力ＢＳである場合には、信号パーザーはＡＴ８０４においてプリアンブルの周波数感度低下を制限するためにプリアンブルを二つ以上の提供された時間フレームの中に組み込む（例えば、二つの明確な時間にプリアンブルを伝送することによって、共通の時間に別のＢＳとの衝突の可能性は低減される）。基地局８０２が高電力ＢＳである場合には、タイミング分割モジュール８２０はそのような時間フレームにプリアンブルを組み込むことから信号パーザー８１８を制限し、少なくとも提供された時間フレームに関して、そのような高電力ＢＳと他のＢＳとの間で干渉を低減させる。
【００８５】
前記に加えて、基地局８０２が無線信号の一以上の資源を空白にする場合には、タイミング分割モジュール８２０はそのような信号の共通インターレースの二つの時間フレームをグループ化する。信号パーザー８１８はプリアンブル情報をグループ化時間フレームの中へ伝送する。さらに、時系列準拠機能（例えば、ＡＲＱまたはＨＡＲＱ機能）の連続性を維持するために、信号パーザーはさらに割当情報をグループ化時間フレームに先行する時間フレームの中へ、そして承認情報をグループ化時間フレームに続く時間フレームの中へ組み込む。
【００８６】
一以上の他の形態によると、プロセッサー８１４はさらに周波数分割モジュール８２２に接続される。周波数分割モジュール８２２は、無線信号の少なくとも一つの資源を複数の周波数部分帯域に分割する。周波数部分帯域の一つは信号パーザー８１８によるプリアンブル組み込みのために利用される（例えば、基地局８０２が再使用ＢＳである場合）。一以上の形態によると、信号パーザーは様々な組み込みアルゴリズムに従ってプリアンブル情報を多数の信号スーパーフレーム／サイクルの周波数部分帯域の中に組み込む。例えば、そのような組み込みは、時間フレームの特定の部分帯域が利用されるように、計画され、信号スーパーフレーム／サイクルの（または、例えば、多数のスーパーフレーム／サイクルの一つの）無作為または疑似無作為部分帯域が利用されるように、無作為化され、或いは部分帯域がＡＴ８０４からの衝突フィードバック情報に基づいて他の基地局との衝突を低減させるように、学習される。基地局８０２はプリアンブルの同期化情報をさらに組み込む同期化モジュール８２４をさらに含む。例えば、ＰＳＣまたはＳＳＣ、または同等の同期化パイロット信号はそのような部分帯域によって提供されたいくつかまたは全ての帯域幅を利用して、一つの周波数部分帯域の中に組み込まれる。その上、同期化情報はＡＴ８０４における信号感度低下の可能性を低減させるためにタイミング分割モジュール８２０によって提供された異なる時間フレームへ組み込まれる。
【００８７】
少なくとも一つの他の形態によると、ここに述べたように、基地局８０２はさらに信号資源（例えば、時間フレームの一以上の周波数部分帯域）を周波数副搬送波タイルの集合の中に細分化するタイル化（tiling）モジュール８２６を含む。副搬送波タイルはタイル化モジュール８２６によってタイル・グループにグループ化される。御組み込みモジュール８２８はプリアンブルの制御チャネル情報を選択されたタイル・グループのタイルの中に無作為に／疑似無作為に組み込む。このように、ＡＴ８０４が（例えば、そのようなタイルにおける支配的干渉体の結果として）制御チャネル情報を取得するために一つのタイルを復調することができない場合には、別のそのようなタイルがそのような情報を取得するために走査される。無作為に／疑似無作為にグループ化されたタイルを採用することによって、重大な干渉が基地局８０２のプリアンブル情報に専用される時間フレームの部分において発生する場合でも、制御チャネル情報を復号する高い可能性（確率）が存在する。
【００８８】
図９は無線ＢＳの検出のために構成されるＡＴ（例えば、ＵＴ）９０２を含むシステム例９００のブロック図を例示する。ＡＴ９０２は無線ＡＮの一以上のそのような基地局９０４（例えば、アクセス点）と無線で接続するように構成される。当技術分野において知られているように、ＡＴ９０２はＦＬチャネル上でＯＴＡメッセージを基地局９０４から受取り、そしてＲＬチャネル上でＯＴＡメッセージによって応答する。その上、ＡＴ９０２は基地局９０４の形式（例えば、伝送電力、アクセス形式、再使用形式）に基づいて、または単に基地局９０４のＩＤに基づいて、無線信号の選択された部分を走査することよって基地局９０４により伝送されたプリアンブル情報を取得する。例えば、ここに述べたたように、ＡＴ９０２は、基地局９０４が高電力送信器であるならば無線信号の一つの部分を走査し、基地局９０４が再使用送信器（例えば、中間／低電力送信器またはＲＡ送信器）であるならば無線信号の異なる部分を走査する。
【００８９】
ＡＴ９０２は信号（例えば、無線ＯＴＡメッセージ）を受信する少なくとも一つのアンテナ９０６（例えば、伝送受信器または入力インタフェースを含むそのような受信器のグループ）及び受信信号について一般的な行為（例えば、濾波、増幅、下位変換等）を行う受信器９０８を含む。少なくともいくつかの形態によると、プロセッサー９１２は復調器９１０から受取った信号の部分を選択的に分析し、そして選択された基地局（９０４）または基地局の形式に関係する同期化及び／または制御情報を取得する。一般に、アンテナ９０６及び送信器９２８（まとめて送受信器と云われる）は基地局９０４との無線データ交換を容易にするために構成される。
【００９０】
アンテナ９０６及び受信器９０８はまた受信シンボルを復調し、そしてそれらを評価のためにプロセッサー９１２へ提供する復調器９１０と接続される。プロセッサー９１２はＡＴ９０２の一以上の要素（９０６、９０８、９１０、９１４、９１６、９１８、９２０、９２２、９２４、９２６、９２８）を制御し、且つ／または参照することを認識すべきである。さらに、プロセッサー９１２はＡＴ９０２の機能を実行することに関係する情報または制御を含む一以上のモジュール、アプリケーション、エンジン等（９１４、９１８、９２０、９２２、９２４）を実行する。例えば、ここに述べたように、そのような機能は制御／同期化情報に関する受信無線信号を走査することを含み、そのような信号を伝送する基地局（９０４）を確認し、干渉及び／または干渉している基地局（９０４）を決定し、信号の一部分に観測された衝突、または同様な操作を通報する。
【００９１】
ＡＴ９０２はさらにプロセッサー９１２に動作可能に接続されたメモリー９１６を含む。メモリー９１６は伝送され、受信される等々のデータ、そして遠隔デバイス（９０４）との無線通信を行う適切な命令を格納する。さらに、メモリー９１６は上でプロセッサー９１２によって実行されるモジュール、アプリケーション、エンジン等（９１４、９１８、９２０、９２２、９２４）を格納する。いくつかの形態によると、アンテナ９０６は少なくとも第一及び第二の時間サイクルを含む基地局９０４からの無線通信信号を取得する。プロセッサー９１２は第一サイクルの一つの資源（例えば、時間、周波数、シンボル及び／またはコード部門）から、そして第二時間サイクルの異なる資源から（例えば、そのようなサイクル資源のプリアンブル再使用に基づいて）信号プリアンブルを取得する。他の形態によると、プロセッサーはさらに中間から低電力送信器、高電力送信器、ＧＡ送信器またはＲＡ送信器、またはその組合せのデータを取得するために無線信号の第一または第二の時間サイクルの少なくとも一つの追加の資源を走査する。少なくとも一つの追加資源は信号の個別時間フレームにおけるプリアンブル情報を繰返すことによって、受信器（例えば、９０８）における信号感度低下を低減させるために利用される。
【００９２】
追加の形態によると、プロセッサー９１２は信号プリアンブルまたはその一部を確認し、且つ取得するために、時間フレームの一以上の周波数部分帯域（または、例えば、他の資源）、または時間フレームの全ての周波数部分帯域（または他の資源）を走査する。例えば、選択された資源の走査はプリアンブルの計画再使用に関して採用され、そしてそのような全部分帯域はプリアンブルの無作為／疑似無作為再使用に関して採用される。さらなる形態によると、ＩＤモジュール９１８は時間フレームの特定の資源からサービス基地局９０４の識別（identifying）情報を取出す。識別情報は、例えば、資源として伝送された一以上の同期化パイロットにおいて提供される。基地局再使用モジュール９２０は（例えば、静的に多数の信号スーパーフレーム／サイクルにわたって割付けられるか、動的にそのようなスーパーフレーム／サイクルにわたって割付けられるか否かに拘らず）基地局９０４による計画周波数／時間フレーム再使用と連係してサービスＢＳを特定の資源と関連させる。そのような形態では、プロセッサー９１２はサービス基地局９０４によって提供されるプリアンブル情報をさらに取得するために基地局９０４で起源される次の信号スーパーフレーム／サイクルの特定資源または指定資源を走査する。
【００９３】
前記に加えて、ＡＴ９０２は基地局９０４のプリアンブルを含む無線信号資源上で信号干渉を検出する干渉モジュール９２２を含む。衝突通報モジュール９１４はプリアンブル衝突が発生したことを示すＲＬメッセージを始める。いくつかの形態では、ＲＬメッセージは干渉信号を分析することによって、特定の資源（例えば、周波数部分帯域時間フレームまたは部分スロット、コード、ＯＦＤＭシンボル等）及び／または干渉基地局のＩＤを確認する。基地局９０４が次の伝送において干渉基地局として信号資源上でそのプリアンブルを組み込む場合には、衝突通報は学習再使用と連動して利用される。
【００９４】
まだ他の形態によると、ＡＴ９０２はアンテナ９０６で受信された無線信号の少なくとも一つの資源（例えば、周波数部分帯域）を多数の周波数部分帯域タイルへ構文解析するタイル化モジュール９２４を含む。タイル化モジュール９２４はさらに共通基地局９０４の信号を含む二以上の周波数タイルを適合（match）させる。適合された周波数タイルはプロセッサー９１２に送られ、それは一以上の適合タイルから基地局９０４によって提供された制御チャネル情報を取出す。プリアンブル時間フレームの様々な部分帯域にわたって重大な干渉が観測される場合には、そのような配置は有益である。一つのタイル上の制御チャネルが復調されない場合は、異なる一つの適合タイルがそのような情報を復調しようと試みるために分析される。従って、ここに述べたように、重大な干渉復元力がＡＴ９０２によって提供される。
【００９５】
前述のシステムはいくつかの要素（コンポーネント）、モジュール及び／または通信インタフェースの間の相互作用に関して述べられてきた。そのようなシステム及び要素／モジュール／インタフェースはそれらの要素またはそこに指定された部分要素、いくつかの指定された要素または部分要素、及び／または追加の要素を含むことを認識すべきである。例えば、システムはフェムト基地局２０４Ａ、マクロ基地局２０４Ｃ、及び衝突モジュール９１４、ＩＤモジュール９１８及び再使用モジュール９２０、またはこれら及び他の要素の異なる組合せを含むであろう。部分要素はまた親要素の中に含まれよりむしろ他の要素と通信的に接続される要素として実施されるであろう。その上、一以上の要素は集合体機能性を提供する単一の要素に結合されることを注目すべきである。例えば、タイミング分割モジュール８２０は単一要素として無線信号の時間及び周波数要素を構文解析するのを容易にするために周波数分割モジュール８２２を含み、またはその逆もある。それらの要素はまた明確にここに記載されないが当技術分野で知られている一以上の他の要素と相互作用する。
【００９６】
さらに、認識されるように、上記の開示システム及び下記の方法は人工知能または知識または規則準拠の要素、部分要素、処理（プロセス）、手段、方法論、または機構（メカニズム）を含む（例えば、ベクトル・マシン、ニューラル・ネットワーク、エクスパート・システム、ベイズ信念ネットワーク、ファジー論理、データ融合エンジン、分類子、・・・を支援する）。そのような要素は、とりわけ、そしてここに既に述べたものに加えて、それによってシステム及び方法の部分をさらに適応させ、同様に効率的且つ知的にするために或る機構（メカニズム）または処理（プロセス）を自動化する。
【００９７】
上記に記述した典型的なシステムを考慮して、主題開示に従って実行される方法論は図１０〜１３のフロー・チャートを参照してさらによく理解されるであろう。説明を簡単にする目的のために、方法論は一連のブロックとして示され、且つ記述されるが、いくつかのブロックはここに図示され、且つ記述されるもの（こと）とは異なる順序及び／または同時に起こるので、要求された主題事柄はブロックの順序によって制限されない。さらに、必ずしも全ての例示ブロックはこれ以降に記述される方法論を実行することを要求されるとは限らない。その上、これ以降及びこの明細書（仕様）を通して開示された方法論はそのような方法論をコンピューターへ輸送及び移動するのを容易にするために製造物（article of manufacture）に格納できることをさらに理解すべきである。使用される、用語「製造物」は任意のコンピューター可読デバイス、搬送波と連動するデバイス、記憶メディアからアクセス可能なコンピューター・プログラムを包含することを意味する。
【００９８】
図１０は無線ＡＮにおけるＡＰ検出を可能にするための方法論例１０００のフロー・チャートを例示する。１００２では、方法１０００は無線信号について信号資源の集合を確立する。それらの資源は時間フレーム及び／または時間部分スロット、周波数部分帯域、周波数副搬送波・タイルまたはその組合せである。
【００９９】
１００４では、方法１０００は捕捉パイロットを無線信号に組み込むために再使用を採用する。特に、捕捉パイロットは無線信号の第二サイクルと比較すると第一サイクルにおいて異なる信号資源に組み込まれる。第一及び第二のサイクルが無線信号の連続したサイクルである必要はないことを認識すべきである。むしろ、そのようなサイクルは連続しており、一以上の他のサイクルによって分離されており、期間（period）サイクル、または選択機能（例えば、無作為機能、擬似無作為機能、フィードバック準拠機能、または無線信号の資源を選択するための他の適当な機能）に基づいて選択されたサイクルである。
【０１００】
１００６では、方法１０００は制御チャネル情報を無線信号に組み込む際に無作為、擬似無作為、また学習再使用を採用する。制御チャネル情報の無作為、擬似無作為または学習再使用は参照番号１００４における捕捉パイロットを組み込むための再使用の代りに、もしくはそれに加えて利用される。前記に加えて、捕捉パイロットまたは制御チャネル情報のために利用される資源は特定のＢＳのために、もしくは特定形式（例えば、アクセス形式、再使用形式、伝送電力形式等々）のＢＳのために予約される。例えば、無線信号の一以上の資源は再使用ＢＳ、ＧＡ ＢＳ、低／中間電力ＢＳ等々のために予約される。無線信号がその資源が予約される指定されたＢＳによって伝送されるならば、指定されたＢＳはパイロット／制御情報を組み込むためにそのような資源を採用する。他の場合は、ＢＳまたはＢＳの形式（例えば、マクロ）は異種ＢＳ／ＢＳの形式（例えば、再使用ＢＳ）のために予約された資源を空白にすることを要求され、その資源上の制限及び非制限ＢＳに少なくとも関してプリアンブル情報の干渉を著しく低減させる。従って、受信デバイスは予約されたＢＳ／ＢＳ形式のプリアンブル情報を取得するために資源を分析する。
【０１０１】
信号資源は信号の他の資源とは（例えば、時間において、周波数において等）異なることを認識すべきである。さらに、ＢＳはＢＳの範囲内で適切に構成された端末へ無線アクセスを行う任意の適切なＢＳを含むことを認識すべきである。そのようなＢＳはセル基地局（例えば、進化（evolved）基地局［ｅＢＳ］、ｅノードＢ等々）、マイクロ波アクセス（ＷｉＭＡＸ）アクセス点の無線相互運用性等を含む。述べてきたように、方法１０００は、プリアンブルを二以上の信号スーパーフレーム／サイクルの様々な資源に動的に割付けることによって、そして随意的に異種のＢＳまたは異種のＢＳ形式について予約された一以上の部分を空白にすることをＢＳに要求することによって、同種のＢＳネットワークにおいても著しく干渉を低減する。
【０１０２】
図１１はここに開示された一以上の形態に従って干渉を減少させるプリアンブル組み込みのための方法論例1100のフロー・チャートを示す。１１０２では、ここに述べたように、方法１１００は無線信号の多数のサイクルにわたるプリアンブル組み込みのために動的な資源割付を提供する。１１０４では、方法１１００は無線信号の連続時間フレームにおいて連続信号サイクルの二つのプリアンブル資源を組み込む。例えば、連続組み込みは（例えば、ハンドオフ決定と共に）多数のＢＳのプリアンブル情報を観測するモバイル・デバイスのいくつかの起上がり機会を低減させる。１１０６では、方法１１００は異種のＢＳまたは異種のＢＳ形式タイプについて予約された資源を空白にする。１１０８では、方法１１００は再使用ＢＳのプリアンブル組み込みのためにその無線信号の、または次の無線信号の追加の時間フレームを提供する。ここに述べたように、追加の時間フレームはプリアンブル再使用を採用するＲＡ ＢＳ及び低または中間電力ＧＡ ＢＳによって利用される。いくつかの形態によると、無線信号の資源は非再使用ＢＳのために、もしくはＧＡ ＢＳの一般組み込みのために提供される。さらに、１１１０では、方法１１００は追加の時間フレームを周波数部分帯域に細分化する。１１１２では、方法１１００は非再使用ＢＳ（例えば、マクロＢＳ）において追加の時間フレーム及び周波数部分帯域を空白にする。１１１４では、方法１１００は再使用ＢＳ（例えば、ＲＡ ＢＳ、マイクロＢＳ、ピコＢＳ、フェムトＢＳ等）の同期化信号について時間及び／または周波数再使用を採用する。そのような再使用は計画され、無作為／疑似無作為的であり、そして／または一以上の端末によって提供される衝突フィードバックに基づく。１１１６では、方法１１００は再使用ＢＳによる制御チャネル情報の組み込みのために追加の時間フレーム及び／または周波数部分帯域の多数の周波数副搬送波タイルを生成する。タイルは一以上の周波数タイルにおける支配的干渉を緩和するのを助けるため、制御チャネル情報の繰返しについて（例えば、無作為的に／疑似無作為的に）共にグループ化される。１１１８では、方法１１００はＢＳの時系列準拠機能を維持するために共通のインターレースの二つの空白にされた時間フレームをグループ化する。例えば、割当情報はグループ化時間フレームの前
に組み込まれ、一方、承認情報はグループ化時間フレームに続いて組み込まれる。
【０１０３】
図１２は無線ＡＮにおけるＢＳを検出するための見本方法論１２００のフロー・チャートを例示する。１２０２では、方法１２００は無線信号を取得する。無線信号は少なくとも第一時間サイクル及び第二時間サイクルを含む。時間サイクルは、当技術分野において知られているように、さらに時間、周波数及び／または無線信号のコード準拠資源の集合に分割される。１２０４では、方法１２００は第一時間サイクルの一つの資源から、そして第二時間サイクルの異なる資源から捕捉パイロットを取得する。１２０６では、方法１２００は無線信号から制御チャネル情報を取得するために無作為、擬似無作為または学習再使用機能を採用する。制御チャネル情報を取得することは参照番号１２０４における捕捉パイロットを取得することに加え、もしくは代わりである。
【０１０４】
いくつかの形態では、無線信号に含まれるデータは捕捉パイロットまたは制御チャネル情報が無線信号の中で組み込まれる場所（例えば、一以上の信号時間フレーム、部分フレーム、周波数部分帯域、周波数タイルまたはタイル・グループ、コードまたはサブコード、ＯＦＤＭシンボル、または他の信号資源）を指定する。従って、そのような形態では、パイロット／制御情報はそのようなデータを復号し、そして利用することによって取得される。他の形態では、資源は特定のＢＳまたは特定の形式のＢＳについて予約される。従って、方法１２００は所望の基地局信号の形式に応じて、基地局のプリアンブル情報について無線信号の異種の資源を分析するために提供する。このように、干渉の著しい低減は異種及び／または中途または無計画の無線ＡＮにおいて達成され、そのような環境において無線通信の信頼性を増大させる。
【０１０５】
図１３は開示された形態により無線受信器における干渉低減を容易にするための方法論例１３００のフロー・チャートを示す。１３０２では、ここに述べたように、方法１３００はＢＳのプリアンブル情報を取得するために無線信号の二以上のサイクルの異なる資源を走査する。資源は探索されるＢＳの形式に少なくとも基づいて決定される。１３０４では、方法１３００は再使用ＢＳのプリアンブルを取得するために無線信号の少なくとも一つの追加の時間フレームを走査する。１３０６では、方法１３００は特定の再使用ＢＳのプリアンブル・データについて時間フレームの周波数部分帯域を走査する。１３０８では、方法１３００はＢＳ ＩＤを特定の部分帯域と関連させる。例えば、そこではチャネル資源の再使用が最小プリアンブル衝突を促進するために計画される（例えば、そこではそのような部分帯域を採用する基地局より多くの周波数部分帯域が存在する）。１３１０では、方法１３００は無作為／疑似無作為部分帯域を採用してサービスＢＳのプリアンブルを確認するのを容易にするために時間フレームの全ての周波数部分帯域を走査する。１３１２では、方法１３００は部分帯域における（例えば、干渉に基づく）衝突を確認する。１３１４では、衝突情報はＲＬ伝送においてサービスＢＳに提供される。１３１６では、多数の周波数部分帯域タイルはＢＳのプリアンブル・データと関連する共通タイルに適合するために構文解析される。１３１８では、制御チャネル情報は適合された一以上の周波数部分帯域タイルから取出される。
【０１０６】
図１４は中途計画または無計画の異種のＢＳに基づいて無線ＡＮにおいてＢＳの検出を行うシステム例１４００のブロック図を示す。システム１４００は無線信号の信号資源の集合を確立するためのモジュール１４０２を含む。当技術分野において知られているように、資源は無線信号の時間、周波数、及び／またはコード準拠部門において区別できる。その上、システム１４００は捕捉パイロットを無線信号に組み込むために再使用を採用するためのモジュール１４０４を含む。特に、信号の第二サイクルと比較すると信号の第一サイクルにおいて異なる信号資源をそのパイロットが組み込まれるように再使用は構成される。いくつかの形態では、モジュール１４０４はまた特定の形式（例えば、アクセス形式、伝送電力、再使用形式）のＢＳについて予約された信号資源を選択する。少なくとも一つのさらなる形態によると、モジュール１４０４はさらに異種の形式のＢＳに割付けられた少なくとも一つの信号資源を空白にする。
【０１０７】
図１５は無線ＡＮにおけるＢＳの検出を容易にするシステム例１５００のブロック図を例示する。システム１５００は無線信号の信号資源の集合を確立するためのモジュール１５０２を含む。図１４に関して上で述べたように、当技術分野において知られているように、資源は信号の時間、周波数及び／またはコード準拠部門に区別できる。システム１５００はさらに制御チャネル情報を無線信号に組み込む際に無作為、疑似無作為または学習再使用を採用するためのモジュール１５０４を含む。例えば、モジュール１５０４は制御チャネル情報を組み込む周波数部分帯域または無線信号の異なるサイクルの様々な時間フレーム及び／またはタイル／タイル・グループを選択するために無作為、疑似無作為機能を採用する。そのような方法で制御情報を組み込むことによって、持続的な制御チャネル衝突が異なるサイクルにわたって受信器で発生するであろうことはあまり有りえない。代りに、もしくはそれに加えて、学習再使用は制御チャネル情報を組み込むために採用される。そのような場合には、衝突フィードバック情報が衝突しているＢＳによって使用されつつあるより無線信号の異なる資源において制御情報を組み込むためにモジュール１５０４によって利用される。従って、システム１５００は無線ネットワークにおいて受信デバイスにおける制御チャネル衝突を著しく緩和または回避し、そのようなデバイスのＢＳ検出の改善を促進する。
【０１０８】
図１６は主題開示の形態により無線通信環境においてＢＳを検出する見本システム１６００のブロック図を示す。システム１６００は第一及び第二の時間サイクルを含む無線信号を取得するためのモジュール１６０２を含む。システム１６００は、一つの代替形態では、第一時間サイクルの一つの時間フレームから、及び第二時間サイクルの異なる時間フレームから捕捉パイロットを取得するためのモジュール１６０４を含む。別の代替形態では、システム１６００は無線信号から制御チャネル情報を取得する際に無作為、疑似無作為または学習再使用機能を採用するためのモジュール１６０６を含む。どちらの代替形態でも、モジュール１６０４／１６０６はパイロット／制御情報を取得する際に伝送しているＢＳと比較すると異種の形式のＢＳに割付けられた時間フレームを無視する。従って、システム１６００は、ここに述べたように、ＢＳの特定の形式のために予約された信号資源を走査し、それによって異種の形式のＢＳからの干渉を低減もしくは回避する。
【０１０９】
上記で述べてきたことは要求された主題の形態の例を含む。勿論、要求された主題を述べる目的のために要素または方法論の全ての考えられる組合せを述べることはできないが、当業者は要求された主題の多くのさらなる組合せ及び置換が可能であることを認識している。従って、開示された主題は付加請求項の精神及び範囲の中で収まる全てのそのような変更、修正、及び変形を受入れることを意図している。さらに、用語「含む（includes）」、「持つ（has）」または「持つ（having）」は詳細な説明または請求項のいずれかで使用され、そのような用語は請求項において暫定的な語として採用されるとき「含む（comprising）」が解釈されるように用語「含む（comprising）」に類似するある意味で包括的であることを意図している。
【図１】
2011504048.tif 000003
【図２】
2011504048.tif 000004
【図３】
2011504048.tif 000005
【図４】
2011504048.tif 000006
【図５】
2011504048.tif 000007
【図６】
2011504048.tif 000008
【図７】
2011504048.tif 000009
【図８】
2011504048.tif 000010
【図９】
2011504048.tif 000011
【図１０】
2011504048.tif 000012
【図１１】
2011504048.tif 000013
【図１２】
2011504048.tif 000014
【図１３】
2011504048.tif 000015
【図１４】
2011504048.tif 000016
【図１５】
2011504048.tif 000017
【図１６】
2011504048.tif 000018
【国際調査報告】
2011504048.tif 000019
2011504048.tif 000020
2011504048.tif 000021
2011504048.tif 000022
2011504048.tif 000023
2011504048.tif 000024
2011504048.tif 000025
2011504048.tif 000026
2011504048.tif 000027